(57)【要約】【課題】受信時の累積分散値をゼロでない最適な値に設定しつつ、波長多重光の一部を挿入、抜き出し、通過させる光通信装置を、各波長ごとに補助ＤＣＭを用いることなく提供すること。【解決手段】受信側ＤＣＭ（分散補償器）１１は、受信アンプ１０に入力された波長多重信号の累積分散値を、受信器７０の最適累積分散値（＋３００ｐｓ／ｎｍ）とするように調整する。ＭＵＸ４０は、ＤＭＵＸ３０により分波された光信号のうちスルー信号を合波する。ＭＵＸ４１は、送信器８０からの複数のアッド（挿入）信号を合波する。補助ＤＣＭ６０は、ＭＵＸ４１からの波長多重信号に、受信側ＤＣＭ１１において調整された累積分散値と同じ値の分散を付与する。合波カプラ５０は、ＭＵＸ４０からの波長多重信号に、補助ＤＣＭ６０からの波長多重信号を合波させて送信アンプ２０に出力する。【選択図】図５
2006042012.tif 000002
【特許請求の範囲】
【請求項１】
異なる波長の光信号が複数多重された波長多重信号に対して、任意の波長の光信号を、挿入、抜き出し、通過させる光通信装置であって、
前記波長多重信号の累積分散値が、抜き出した後の各波長チャネル毎の光信号を受信する受信器における最適累積分散値となるように調整する受信側分散補償器と、
前記受信側分散補償器により累積分散値が調整された後の波長多重信号を、当該伝送装置を通過するスルー波長群の波長多重信号と当該伝送装置にて抜き出すドロップ波長群の波長多重信号とに分離する分離手段と、
挿入信号が合波されたアッド波長群の波長多重信号に、前記受信側分散補償器において調整された累積分散値と同じ値の分散を付与する補助分散補償器と、
前記スルー波長群の波長多重信号に、前記補助分散補償器により累積分散値が調整された後のアッド波長群の波長多重信号を合波させて出力信号光とする合波手段と、を備えた光通信装置。
【請求項２】
異なる波長の光信号が複数多重された波長多重信号に対して、任意の波長の光信号を、挿入、抜き出し、通過させる光通信装置であって、
前記波長多重信号の累積分散値が、抜き出した後の各波長チャネル毎の光信号を受信する受信器における最適累積分散値となるように調整する受信側分散補償器と、
前記受信側分散補償器により累積分散値が調整された後の波長多重信号を、当該伝送装置を通過するスルー波長群の波長多重信号と当該伝送装置にて抜き出すドロップ波長群の波長多重信号とに分離する分離手段と、
前記スルー波長群の波長多重信号に対して、前記受信側分散補償器において調整された累積分散値をキャンセルしてゼロとするように調整する補助分散補償器と、
前記補助分散補償器により累積分散値が調整された後のスルー波長群の波長多重信号に、挿入信号が合波されたアッド波長群の波長多重信号を合波させて出力信号光とする合波手段と、を備えた光通信装置。
【請求項３】
異なる波長の光信号が複数多重された波長多重信号に対して、任意の波長の光信号を、挿入、抜き出し、通過させる光通信装置であって、
前記波長多重信号の累積分散値がゼロとなるように調整する受信側分散補償器と、
前記受信側分散補償器により累積分散値が調整された後の波長多重信号を、当該伝送装置を通過するスルー波長群の波長多重信号と当該伝送装置にて抜き出すドロップ波長群の波長多重信号とに分離する分離手段と、
前記ドロップ波長群の波長多重信号の累積分散値が、抜き出した後の各波長チャネル毎の光信号を受信する受信器における最適累積分散値となるように調整する補助分散補償器と、
前記スルー波長群の波長多重信号に、挿入信号が合波されたアッド波長群の波長多重信号を合波させて出力信号光とする合波手段と、を備えた光通信装置。
【請求項４】
抜き出した後の各波長チャネル毎の光信号を受信する複数の受信器と、
前記挿入信号を出力する複数の送信器と、をさらに備えた請求項１から３のいずれか１項記載の光通信装置。
【請求項５】
異なる波長の光信号が複数多重された波長多重信号に対して、任意の波長の光信号を、挿入、抜き出し、通過させる光通信装置であって、
抜き出した後の各波長チャネル毎の光信号を受信する複数の受信器と、
前記波長多重信号の累積分散値が、前記複数の受信器における最適な累積分散値となるように調整する受信側分散補償器と、
前記受信側分散補償器により累積分散値が調整された後の波長多重信号を各波長の光信号に分波する分波器と、
前記分波器により分波された光信号のうち通過信号を合波するための第１の合波器と、
挿入信号を出力する複数の送信器と、
前記複数の送信器からの挿入信号を合波するための第２の合波器と、
前記第２の合波器からの波長多重信号に、前記受信側分散補償器において調整された累積分散値と同じ値の分散を付与する補助分散補償器と、
前記第１の合波器からの波長多重信号に、前記補助分散補償器により累積分散値が調整された後の波長多重信号を合波させて出力信号光とする合波カプラと、を備えた光通信装置。
【請求項６】
異なる波長の光信号が複数多重された波長多重信号に対して、任意の波長の光信号を、挿入、抜き出し、通過させる光通信装置であって、
抜き出した後の各波長チャネル毎の光信号を受信する複数の受信器と、
前記波長多重信号の累積分散値が、前記複数の受信器における最適な累積分散値となるように調整する受信側分散補償器と、
前記受信側分散補償器により累積分散値が調整された後の波長多重信号を各波長の光信号に分波する分波器と、
前記分波器により分波された光信号のうち通過信号を合波するための第１の合波器と、
挿入信号を出力する複数の送信器と、
前記複数の送信器からの挿入信号を合波するための第２の合波器と、
前記第１の合波器からの波長多重信号に、前記受信側分散補償器において調整された累積分散値をキャンセルしてゼロとするように調整する補助分散補償器と、
前記補助分散補償器により累積分散値が調整された後の波長多重信号に、前記第２の合波器からの波長多重信号を合波させて出力信号光とする合波カプラと、を備えた光通信装置。
【請求項７】
前記分波器により分波された後の各波長の光信号を通過信号として前記第１の合波器に出力するか当該ノードにて抜き出す信号として前記受信器に出力するかを各波長チャネル毎に切り替えるための光スイッチをさらに備えた請求項５または６記載の光通信装置。
【請求項８】
異なる波長の光信号が複数多重された波長多重信号に対して、任意の波長の光信号を、挿入、抜き出し、通過させる光通信装置であって、
前記波長多重信号の累積分散値がゼロとなるように調整する受信側分散補償器と、
前記受信側分散補償器により分散補償が行われた後の波長多重光信号を各波長の光信号に分波する第１の分波器と、
前記受信側分散補償器により累積分散値が調整された後の波長多重信号を分岐する分岐カプラと、
抜き出した後の各波長チャネル毎の光信号を受信する複数の受信器と、
前記分岐カプラにより分岐された波長多重信号の累積分散値が、前記複数の受信器における最適な累積分散値となるように調整する補助分散補償器と、
前記補助分散補償器により分散補償が行われた後の波長多重光信号を各波長の光信号に分波する第２の分波器と、
挿入信号を出力する複数の送信器と、
前記第１の分波器により分波された光信号のうちの通過信号と、前記複数の送信器からの挿入信号とを合波させて出力信号光とするための合波器と、を備えた光通信装置。
【請求項９】
異なる波長の光信号が複数多重された波長多重信号に対して、任意の波長の光信号を、挿入、抜き出し、通過させる光通信装置であって、
抜き出した後の各波長チャネル毎の光信号を受信する複数の受信器と、
前記波長多重信号の累積分散値が、前記複数の受信器における最適な累積分散値となるように調整する受信側分散補償器と、
前記受信側分散補償器により分散補償が行われた後の波長多重信号に、前記受信側分散補償器において調整された累積分散値をキャンセルしてゼロとするように調整する補助分散補償器と、
前記補助分散補償器により分散補償が行われた後の波長多重光信号を各波長の光信号に分波する第１の分波器と、
前記受信側分散補償器により累積分散値が調整された後の波長多重信号を分岐する分岐カプラと、
前記分岐カプラにより分岐された波長多重信号を各波長の光信号に分波する第２の分波器と、
挿入信号を出力する複数の送信器と、
前記第１の分波器により分波された光信号のうちの通過信号と、前記複数の送信器からの挿入信号とを合波させて出力信号光とするための合波器と、を備えた光通信装置。
【請求項１０】
前記第１の分波器により分波された後の各波長の光信号をスルー信号として前記合波器に出力するか、前記送信器からの挿入信号を前記合波器に出力するかを各波長チャネル毎に切り替えるための光スイッチをさらに備えた請求項８または９記載の光通信装置。
【請求項１１】
異なる波長の光信号が複数多重された波長多重信号に対して、任意の波長の光信号を、挿入、抜き出し、通過させる光通信装置であって、
抜き出した後の各波長チャネル毎の光信号を受信する複数の受信器と、
前記波長多重信号の累積分散値が、前記複数の受信器における最適な累積分散値となるように調整する受信側分散補償器と、
前記受信側分散補償器により累積分散値が調整された後の波長多重信号を分岐する分岐カプラと、
前記分岐カプラにより分岐された波長多重信号を各波長の光信号に分波する分波器と、
前記受信側分散補償器により累積分散値が調整された後の波長多重信号に対して、通過信号となる波長チャネルのみを通過させる波長ブロッカと、
前記波長ブロッカからの波長多重信号に、前記受信側分散補償器において調整された累積分散値をキャンセルしてゼロとするように調整する補助分散補償器と、
挿入信号を出力する複数の送信器と、
前記複数の送信器からの挿入信号を合波するため合波器と、
前記補助分散補償器により累積分散値が調整された後の波長多重信号に、前記合波器からの波長多重信号を合波させて出力信号光とする合波カプラと、を備えた光通信装置。
【請求項１２】
異なる波長の光信号が複数多重された波長多重信号に対して、任意の波長の光信号を、挿入、抜き出し、通過させる光通信装置であって、
抜き出した後の各波長チャネル毎の光信号を受信する複数の受信器と、
前記波長多重信号の累積分散値が、前記複数の受信器における最適な累積分散値となるように調整する受信側分散補償器と、
前記受信側分散補償器により累積分散値が調整された後の波長多重信号を分岐する分岐カプラと、
前記分岐カプラにより分岐された波長多重信号を各波長の光信号に分波する分波器と、
前記受信側分散補償器により累積分散値が調整された後の波長多重信号に対して、通過信号となる波長チャネルのみを通過させる波長ブロッカと、
挿入信号を出力する複数の送信器と、
前記複数の送信器からの挿入信号を合波するため合波器と、
前記合波器からの波長多重信号に、前記受信側分散補償器において調整された累積分散値と同じ値の分散を付与する補助分散補償器と、
前記波長ブロッカからの波長多重信号に、前記補助分散補償器からの波長多重信号を合波させて出力信号光とする合波カプラと、を備えた光通信装置。
【請求項１３】
異なる波長の光信号が複数多重された波長多重信号に対して、任意の波長の光信号を、挿入、抜き出し、通過させる光通信装置であって、
前記波長多重信号の累積分散値が、ゼロとなるように調整する受信側分散補償器と、
前記受信側分散補償器により累積分散値が調整された後の波長多重信号を分岐する分岐カプラと、
抜き出した後の各波長チャネル毎の光信号を受信する複数の受信器と、
前記分岐カプラにより分岐された波長多重信号の累積分散値が、前記複数の受信器における最適な累積分散値となるように調整する補助分散補償器と、
前記補助分散補償器により累積分散値が調整された後の波長多重信号を各波長の光信号に分波する分波器と、
前記受信側分散補償器により累積分散値が調整された後の波長多重信号に対して、通過信号となる波長チャネルのみを通過させる波長ブロッカと、
挿入信号を出力する複数の送信器と、
前記複数の送信器からの挿入信号を合波するため合波器と、
前記波長ブロッカからの波長多重信号に、前記合波器からの波長多重信号を合波させて出力信号光とする合波カプラと、を備えた光通信装置。
【請求項１４】
異なる波長の光信号が複数多重された波長多重信号に対して、任意の波長の光信号を、挿入、抜き出し、通過させる光通信装置であって、
抜き出した後の各波長チャネル毎の光信号を受信する複数の受信器と、
前記波長多重信号の累積分散値が、前記複数の受信器における最適な累積分散値となるように調整する受信側分散補償器と、
挿入信号を出力する複数の送信器と、
前記複数の送信器からの挿入信号を合波するため合波器と、
前記合波器からの波長多重信号に、前記受信側分散補償器において調整された累積分散値と同じ値の分散を付与する補助分散補償器と、
入力された波長多重信号の各波長の経路を、各波長チャネル毎にそれぞれ独立に切り替えことが可能なデバイスであり、前記受信側分散補償器により累積分散値が調整された後の波長多重信号に対して、当該ノードにて抜き出す波長チャネルについてはドロップ波長群の波長多重信号として出力し、通過信号となる波長チャネルについては、前記補助分散補償器により累積分散値が調整された後の波長多重信号と合波した後に出力信号光として出力する波長選択スイッチと、
前記波長選択スイッチから出力されたドロップ波長群の波長多重信号を各波長の光信号に分波する分波器と、を備えた光通信装置。
【請求項１５】
異なる波長の光信号が複数多重された波長多重信号に対して、任意の波長の光信号を、挿入、抜き出し、通過させる光通信装置であって、
抜き出した後の各波長チャネル毎の光信号を受信する複数の受信器と、
前記波長多重信号の累積分散値が、前記複数の受信器における最適な累積分散値となるように調整する受信側分散補償器と、
挿入信号を出力する複数の送信器と、
前記複数の送信器からの挿入信号を合波するため合波器と、
入力された波長多重信号の各波長の経路を、各波長チャネル毎にそれぞれ独立に切り替えことが可能なデバイスであり、前記受信側分散補償器により累積分散値が調整された後の波長多重信号に対して、当該ノードにて抜き出す波長チャネルについてはドロップ波長群の波長多重信号として出力し、通過信号となる波長チャネルについては、前記合波器からの波長多重信号と合波した後に出力信号光として出力する波長選択スイッチと、
前記波長選択スイッチから出力されたドロップ波長群の波長多重信号に、前記受信側分散補償器において調整された累積分散値と同じ値の分散を付与する補助分散補償器と、
前記補助分散補償器により累積分散値が調整された後の波長多重信号を各波長の光信号に分波する分波器と、を備えた光通信装置。
【請求項１６】
異なる波長の光信号が複数多重された波長多重信号に対して、任意の波長の光信号を、挿入、抜き出し、通過させる光通信装置であって、
抜き出した後の各波長チャネル毎の光信号を受信する複数の受信器と、
前記波長多重信号の累積分散値が、前記複数の受信器における最適な累積分散値となるように調整する受信側分散補償器と、
挿入信号を出力する複数の送信器と、
前記複数の送信器からの挿入信号を合波するため合波器と、
入力された波長多重信号の各波長の経路を、各波長チャネル毎にそれぞれ独立に切り替えことが可能なデバイスであり、前記受信側分散補償器により累積分散値が調整された後の波長多重信号に対して、当該ノードにて抜き出す波長チャネルについてはドロップ波長群の波長多重信号として出力し、通過信号となる波長チャネルについてはスルー波長群の波長多重光として出力する第１の波長選択スイッチと、
前記第１の波長選択スイッチから出力されたスルー波長群の波長多重信号に、前記受信側分散補償器において調整された累積分散値をキャンセルしてゼロとするように調整する補助分散補償器と、
入力された波長多重信号の各波長の経路を、各波長チャネル毎にそれぞれ独立に切り替えことが可能なデバイスであり、前記補助分散補償器により累積分散値が調整された後の波長多重信号に、前記合波器からの波長多重信号と合波した後に出力信号光として出力する第２の波長選択スイッチと、
前記第１の波長選択スイッチから出力されたドロップ波長群の波長多重信号を各波長の光信号に分波する分波器と、を備えた光通信装置。
【請求項１７】
異なる波長の光信号が複数多重された波長多重信号に対して、任意の波長の光信号を、挿入、抜き出し、通過させる光通信装置であって、
抜き出した後の各波長チャネル毎の光信号を受信する複数の受信器と、
前記波長多重信号の累積分散値が、前記複数の受信器における最適な累積分散値となるように調整する受信側分散補償器と、
入力された波長多重信号の各波長の経路を、各波長チャネル毎にそれぞれ独立に切り替えて各波長チャネル毎の出力信号または波長多重信号として出力することが可能なデバイスであり、前記受信側分散補償器により累積分散値が調整された後の波長多重信号を入力して、当該ノードにて抜き出す波長チャネルについては各波長チャネル毎に光信号としてそれぞれ出力し、通過信号となる波長チャネルについてはスルー波長群の波長多重光として出力する第１のマルチポート波長選択スイッチと、
前記第１のマルチポート波長選択スイッチから出力されたスルー波長群の波長多重信号に、前記受信側分散補償器において調整された累積分散値をキャンセルしてゼロとするように調整する補助分散補償器と、
挿入信号を出力する複数の送信器と、
入力された波長多重信号に対して、入力された各波長チャネル毎の信号を合波して１つの波長多重信号として出力することが可能なデバイスであり、前記補助分散補償器により累積分散値が調整された後の波長多重信号に、前記複数の送信器から入力された挿入信号を合波した後に出力信号光として出力する第２のマルチポート波長選択スイッチと、を備えた光通信装置。
【請求項１８】
前記最適累積分散値は、受信の際の符号誤り率が最小となるような累積分散値である請求項１から１７のいずれか１項記載の光通信装置。
【請求項１９】
前記最適累積分散値は、ゼロ以外の値である請求項１から１８のいずれか１項記載の光通信装置。
【請求項２０】
異なる波長の光信号が複数多重された波長多重信号を光ファイバ伝送路を介して伝送するための光伝送システムであって、
複数の波長チャネルの光信号を合波して波長多重信号として光ファイバ伝送路に出力する送信端局と、
光ファイバ伝送路を介して入力された波長多重信号に対して、任意の波長の光信号の挿入、抜き出し、通過を行う請求項１から１９のいずれか１項記載の光通信装置と、
前記光通信装置を経由して光ファイバ伝送路から入力された波長多重信号を分波して各波長チャネル毎の信号とする受信端局と、を備えた光伝送システム。
【請求項２１】
異なる波長の光信号が複数多重された波長多重信号に対して、任意の波長の光信号を、挿入し、抜き出すとともに、各波長単位で出力する方路を切り替えるための光通信装置であって、
抜き出した後の各波長チャネル毎の光信号を受信する複数の受信器と、
ある方路から入力された波長多重信号の累積分散値が、前記複数の受信器における最適な累積分散値となるように調整する受信側分散補償器と、
前記受信側分散補償器により累積分散値が調整された後の波長多重信号を分岐する分岐カプラと、
前記分岐カプラにより分岐された波長多重信号を各波長の光信号に分波する分波器と、
前記分岐カプラにより分岐された波長多重信号に対して、第１の方路に対して出力するように設定されている波長チャネルのみを通過させる第１の波長ブロッカと、
前記第１の波長ブロッカからの波長多重信号に、前記受信側分散補償器において調整された累積分散値をキャンセルしてゼロとするように調整する第１の補助分散補償器と、
前記分岐カプラにより分岐された波長多重信号に対して、第２の方路に対して出力するように設定されている波長チャネルのみを通過させる第２の波長ブロッカと、
前記第２の波長ブロッカからの波長多重信号に、前記受信側分散補償器において調整された累積分散値をキャンセルしてゼロとするように調整する第２の補助分散補償器と、
挿入信号を出力する第１の複数の送信器と、
挿入信号を出力する第２の複数の送信器と、
前記第１の複数の送信器からの挿入信号を合波するための第１の合波器と、
前記第２の複数の送信器からの挿入信号を合波するための第２の合波器と、
前記第１の補助分散補償器により累積分散値が調整された後の波長多重信号に、他の方路からの波長多重信号と、前記第１の合波器からの波長多重信号とを合波させて第１の出力信号光とする第１の合波カプラと、
前記第２の補助分散補償器により累積分散値が調整された後の波長多重信号に、他の方路からの波長多重信号と、前記第２の合波器からの波長多重信号とを合波させて第２の出力信号光とする第２の合波カプラと、を有する光通信装置。
【請求項２２】
異なる波長の光信号が複数多重された波長多重信号に対して、任意の波長の光信号を、挿入し、抜き出すとともに、各波長単位で出力する方路を切り替えるための光通信装置であって、
抜き出した後の各波長チャネル毎の光信号を受信する複数の受信器と、
ある方路から入力された波長多重信号の累積分散値が、前記複数の受信器における最適な累積分散値となるように調整する受信側分散補償器と、
前記受信側分散補償器により累積分散値が調整された後の波長多重信号を分岐する分岐カプラと、
前記分岐カプラにより分岐された波長多重信号を各波長の光信号に分波する分波器と、
前記分岐カプラにより分岐された波長多重信号に対して、第１の方路に対して出力するように設定されている波長チャネルのみを通過させる第１の波長ブロッカと、
前記第１の分岐カプラにより分岐された波長多重信号に対して、第２の方路に対して出力するように設定されている波長チャネルのみを通過させる第２の波長ブロッカと、
挿入信号を出力する第１の複数の送信器と、
前記第１の複数の送信器からの挿入信号を合波するための第１の合波器と、
前記第１の合波器からの波長多重信号に、前記受信側分散補償器において調整された累積分散値と同じ値の分散を付与する第１の補助分散補償器と、
挿入信号を出力する第２の複数の送信器と、
前記第２の複数の送信器からの挿入信号を合波するための第２の合波器と、
前記第２の合波器からの波長多重信号に、前記受信側分散補償器において調整された累積分散値と同じ値の分散を付与する第２の補助分散補償器と、
前記第１の波長ブロッカからの波長多重信号に、他の方路からの波長多重信号と、前記第１の補助分散補償器により累積分散値が調整された後の波長多重信号とを合波させて第１の出力信号光とする第１の合波カプラと、
前記第２の波長ブロッカからの波長多重信号に、他の方路からの波長多重信号と、前記第２の補助分散補償器により累積分散値が調整された後の波長多重信号とを合波させて第２の出力信号光とする第２の合波カプラと、を有する光通信装置。
【請求項２３】
異なる波長の光信号が複数多重された波長多重信号に対して、任意の波長の光信号を、挿入し、抜き出すとともに、各波長単位で出力する方路を切り替えるための光通信装置であって、
ある方路から入力された波長多重信号の累積分散値が、ゼロとなるように調整する受信側分散補償器と、
前記受信側分散補償器により累積分散値が調整された後の波長多重信号を分岐する分岐カプラと、
抜き出した後の各波長チャネル毎の光信号を受信する複数の受信器と、
前記分岐カプラにより分岐された波長多重信号の累積分散値が、前記複数の受信器における最適な累積分散値となるように調整する補助分散補償器と、
前記補助分散補償器により累積分散値が調整された後の波長多重信号を各波長の光信号に分波する分波器と、
前記分岐カプラにより分岐された波長多重信号に対して、第１の方路に対して出力するように設定されている波長チャネルのみを通過させる第１の波長ブロッカと、
前記分岐カプラにより分岐された波長多重信号に対して、第２の方路に対して出力するように設定されている波長チャネルのみを通過させる第２の波長ブロッカと、
挿入信号を出力する第１の複数の送信器と、
挿入信号を出力する第２の複数の送信器と、
前記第１の複数の送信器からの挿入信号を合波するための第１の合波器と、
前記第２の複数の送信器からの挿入信号を合波するための第２の合波器と、
前記第１の波長ブロッカからの波長多重信号に、他の方路からの波長多重信号と、前記第１の合波器からの波長多重信号とを合波させて第１の出力信号光とする第１の合波カプラと、
前記第２の波長ブロッカからの波長多重信号に、他の方路からの波長多重信号と、前記第２の合波器からの波長多重信号とを合波させて第２の出力信号光とする第２の合波カプラと、を有する光通信装置。
【請求項２４】
前記最適累積分散値は、受信の際の符号誤り率が最小となるような累積分散値である請求項２１から２３のいずれか１項記載の光通信装置。
【請求項２５】
前記最適累積分散値は、ゼロ以外の値である請求項２０から２３のいずれか１項記載の光通信装置。
【請求項２６】
異なる波長の光信号が複数多重された波長多重信号に対して、任意の波長の光信号を、挿入、抜き出し、通過させる光伝送方法であって、
前記波長多重信号の累積分散値が、抜き出した後の各波長チャネル毎の光信号を受信する受信器における最適累積分散値となるように調整するステップと、
累積分散値が調整された後の前記波長多重信号を、当該伝送装置を通過するスルー波長群の波長多重信号と当該伝送装置にて抜き出すドロップ波長群の波長多重信号とに分離するステップと、
挿入信号が合波されたアッド波長群の波長多重信号に、前記最適累積分散値と同じ値の分散を付与するステップと、
前記スルー波長群の波長多重信号に、累積分散値が調整された後の前記アッド波長群の波長多重信号を合波させて出力信号光とするステップと、を備えた光伝送方法。
【請求項２７】
異なる波長の光信号が複数多重された波長多重信号に対して、任意の波長の光信号を、挿入、抜き出し、通過させる光伝送方法であって、
前記波長多重信号の累積分散値が、抜き出した後の各波長チャネル毎の光信号を受信する受信器における最適累積分散値となるように調整するステップと、
調整された後の前記波長多重信号を、当該伝送装置を通過するスルー波長群の波長多重信号と当該伝送装置にて抜き出すドロップ波長群の波長多重信号とに分離するステップと、
前記スルー波長群の波長多重信号に対して、累積分散値をキャンセルしてゼロとするように調整するステップと、
累積分散値が調整された後の前記スルー波長群の波長多重信号に、挿入信号が合波されたアッド波長群の波長多重信号を合波させて出力信号光とするステップと、を備えた光伝送方法。
【請求項２８】
異なる波長の光信号が複数多重された波長多重信号に対して、任意の波長の光信号を、挿入、抜き出し、通過させる光伝送方法であって、
前記波長多重信号の累積分散値がゼロとなるように調整するステップと、
累積分散値が調整された後の前記波長多重信号を、当該伝送装置を通過するスルー波長群の波長多重信号と当該伝送装置にて抜き出すドロップ波長群の波長多重信号とに分離するステップと、
前記ドロップ波長群の波長多重信号の累積分散値が、抜き出した後の各波長チャネル毎の光信号を受信する受信器における最適累積分散値となるように調整するステップと、
前記スルー波長群の波長多重信号に、挿入信号が合波されたアッド波長群の波長多重信号を合波させて出力信号光とするステップと、を備えた光伝送方法。
【発明の詳細な説明】
【技術分野】
【０００１】
本発明は、波長多重技術を用いて、異なる波長の光信号が複数多重された波長多重信号を光ファイバ伝送路を介して伝送するための光伝送システムに関し、特に、異なる波長の光信号が複数多重された波長多重信号に対して、任意の波長の光信号を、挿入（add）、抜き出し（drop）、通過（pass through）させるＯＡＤＭ(Optical Add-Drop Multiplexing)ノードや、異なる波長の光信号が複数多重された波長多重信号に対して、任意の波長の光信号を、挿入し（add）、抜き出す（drop）とともに、各波長単位で出力する方路を切り替えるための装置であるＯＸＣ（Optical cross Connect）ノード等の光通信装置、光伝送システムおよび光伝送方法に関する。
【背景技術】
【０００２】
＜波長多重光伝送システム＞
インタ−ネットに代表される膨大なデータトラフィックを収容可能な基幹網を構築するため、波長多重（ＷＤＭ：Wavelength Division Multiplexing)技術を用いた光伝送システムが普及しつつある。
【０００３】
このような光伝送システムは、送信端局と、中継局と、受信端局と、これらの間を接続する光ファイバ伝送路とから構成される。送信端局は、複数の波長チャネルの光信号を合波して波長多重信号として光ファイバ伝送路に出力する。中継局は、光ファイバ伝送路の途中に設けられ、波長多重信号の増幅、分散補償等を行っている。受信端局は、中継局を経由して光ファイバ伝送路から入力された波長多重信号を分波して各波長チャネル毎の信号として受信する。
【０００４】
このような光伝送システムの構成を図２６に示す。この図２６では、複数の送信器（Ｔｘ）２６０1〜２６０N、合波器（ＭＵＸ）２４０、光アンプ（増幅器）２１０とから送信端局が構成され、複数の受信機（Ｒｘ）２７０1〜２７０Nと、分波器（ＤＭＵＸ）２５０と、光アンプ２３０とから受信端局が構成されている。また、光アンプ２２０は、中継局としての機能を行っている。また、光アンプ２１０、２２０、２３０には、それぞれ、光ファイバ伝送路による分散を補償するための分散補償器(ＤＣＭ:Dispersion Compensating Module)２１１、２２１、２３１が設けられている。
【０００５】
なお、この図２６では、説明を簡単にするために中継局が１つしか示されていないが、実際には光ファイバ伝送路の長さに応じて複数の中継局が用いられる。
【０００６】
送信端局では、送信器２６０1〜２６０Nにより生成された波長λ1、λ2、・・、λNの光信号が、合波器２４０において波長多重され、光アンプ２１０により増幅された後に光ファイバ伝送路に出力される。ここで、光アンプ２１０において増幅される際に、ＤＣＭ２１１において分散補償が行われる場合もある。
【０００７】
そして、光ファイバ伝送路に出力された波長多重信号は、中継局の光アンプ２２０において増幅された後に受信端局に伝送される。そして、この中継局の光アンプ２２０において増幅される際、送信端局と中継局間の光ファイバ伝送路において発生した波長分散がＤＣＭ２２１において補償される。そして、受信端局では、中継局から光伝送路ファイバを経由して伝送された波長多重信号を光アンプ２３０で増幅した後に、分波器２５０にて各波長λ1、λ2、・・、λN毎に分波して、受信器２７０1〜２７０Nに出力する。
【０００８】
＜分散補償＞
次に、上述したような光伝送システムにおいて行われる分散補償について詳細に説明する。
【０００９】
光ファイバ伝送路は、波長分散(chromatic dispersion)（以降、分散と省略）を生じさせる特性を持っており、そこを通過する信号に分散を与えてしまう。信号に分散が累積すると、信号の持つ周波数成分ごとに異なる遅延が生じて、重篤な波形歪みが起こる。このような分散が累積して、累積分散値が大きくなりすぎると最後には、受信器において受信が不可能な状態となってしまう。
【００１０】
そのため、光ファイバ伝送路により付加された波長分散を逆符号の分散を付与することでキャンセルする分散補償が必要となる。分散の符号は、“異常分散”(abnormal dispersion)と“正常分散”(normal dispersion)で区別される。異常分散を“＋”、正常分散を“−”の符号で表すことが多く、本明細書でもこの極性を用いるが、これには逆の流儀もあるので注意を要する。分散の単位は“ｐｓ／ｎｍ”である。
【００１１】
光ファイバ伝送路の分散は、分散補償器(ＤＣＭ)でキャンセルする。今日一般的に用いられているＤＣＭは分散補償ファイバである。
【００１２】
分散値の２つの表現の使い分けに注意が必要である。ＤＣＭの能力を「−５００ｐｓ／ｎｍのＤＣＭ」と表現する。この場合の−５００ｐｓ／ｎｍは、信号に−５００ｐｓ／ｎｍの分散を付与する能力がある、ということを表している。一方、信号に＋５００ｐｓ／ｎｍの分散が付与された状態を「＋５００ｐｓ／ｎｍの分散を持った信号」という事がある。これは正確には「分散が＋５００ｐｓ／ｎｍ累積している状態の信号」というべきところの慣用的な表現である。信号の持つ分散値は、送信時点をゼロとし、それ以降通過してきた媒体の持つ分散値の累積値である。
【００１３】
＜ＯＡＤＭノード＞
このような光伝送システム導入当初は、長距離の伝送が可能であることが導入動機となった。つまり伝送システムを構成する２つの要素、リンクとノードのうち、リンクがまず光化された。その後、波長多重技術によって１リンクあたりの伝送容量が膨大に増えると、ノードの入力部で全ての波長多重信号を電気信号に落として編集後、再び波長多重信号を作って送り出す、という処理コストが負担と感じられるようになった。ノードにおける信号処理を極力、光信号のままで処理したいという要望が強くなった。
【００１４】
そこでまず初めに実用化を迎えたのがＯＡＤＭ(Optical Add-Drop Multiplexing)ノードである。波長多重された伝送信号光のうちの一部の波長チャネルだけを取り出して受信し、また、一部の波長チャネルだけを送信して波長挿入する機能を持ったノードである。このＯＡＤＭノードを利用すると、そのノードを通過する波長チャネルに対する処理コストを大幅に削減でき、経済化を図ることができる。
【００１５】
このようなＯＡＤＭノードを用いた光伝送システムの構成を図２７に示す。この光伝送システムは、図２６に示した光伝送システムに対して中継局の替わりにＯＡＤＭノード３００が設けられた構成となっている。
【００１６】
ＯＡＤＭノードの役割は、多くの波長チャネルが多重されている一つの波長多重光を入力とし、そのうちの一部の波長チャネルを、抜き出し(ドロップ：Ｄｒｏｐ)、挿入(アッド：Ａｄｄ)して、再び一つの波長多重光として出力することである。
【００１７】
図２７では、ＯＡＤＭノード３００は、光伝送路ファイバを介して伝送されてきた波長多重光のうち波長λ1、λ2、λ3の波長チャネルをドロップして受信器７０に出力し、送信器８０からの波長λ2、λ3の波長チャネルを波長多重光にアッドしている。なお、受信器７０、送信器８０はそれぞれ複数存在するが、説明を簡単にするために、以降の説明においても複数の場合も単数の場合も１つの符号により示すものとする。
【００１８】
＜従来のＯＡＤＭノード構成＞
従来、図２７に示したようなＯＡＤＭノード３００には幾つかの構成が用いられている。以下では、このようなＯＡＤＭノードの従来の構成について説明する。
【００１９】
図２８に示す並列型は、入力された波長多重光を全部分離して処理を行い、再び多重する構成である。この従来のＯＡＤＭノードは、受信アンプ１０と、送信アンプ２０と、分波器（ＤＭＵＸ）３０と、合波器（ＭＵＸ）４０と、受信器（Ｒｘ）７０と、送信器（Ｔｘ）８０とから構成されている。また、受信アンプ１０には、受信側分散補償器(受信側ＤＣＭ）１１が設けられ、送信アンプ２０には、送信側分散補償器（送信側ＤＣＭ）２１が設けられている。
【００２０】
受信側ＤＣＭ１１は、受信アンプ１０に入力された波長多重光の分散補償を行い、送信側ＤＣＭ２１は、送信アンプ２０から出力される波長多重光の分散補償を行う。
【００２１】
ＤＭＵＸ３０は、受信アンプ１０からの波長多重光を各波長λ1、λ2、λ3、・・・、λN毎に分波する。この図２８に示した例では波長λ1、λ2、λ3の光信号が抜き出（ドロップ）されるため、波長λ4、・・・、λNの光信号はそのままスルー（通過）信号としてＭＵＸ４０に出力される。そして、ＤＭＵＸ３０で分波された波長λ1、λ2、λ3の光信号は、受信器７０に出力される。
【００２２】
また、ここでは、波長λ2、λ3の光信号が挿入（アッド）されるため、送信器８０から出力された波長λ2、λ3の光信号がＭＵＸ４０に出力される。
【００２３】
ＭＵＸ４０では、ＤＭＵＸ３０からの波長λ4、・・・、λNの光信号と、送信器８０からの波長λ2、λ3の光信号の合波が行われ１つの波長多重光として送信アンプ２０に出力される。
【００２４】
この図２８に示した構成は、受信端局や送信端局等のターミナルにおける波長多重分波器を背中合わせに接続した構成と同一であり、ターミナルと部品を共用化できるメリットがある。ＭＵＸ３０／ＤＭＵＸ４０デバイスには、近年大量に使用されて低価格化の進んだＡＷＧ(Arrayed Waveguide Grating)が使える。本構成は、アッド／ドロップの設定を変えたときにスルー信号に影響を与えないという重要な特長がある。
【００２５】
図２９に示す直列型は、アッド／ドロップしたい波長だけに作用する光フィルタ１４１、１４２を用いて波長分離して処理を行う構成である。
【００２６】
光フィルタ１４１は、波長λ1の光信号を波長多重光から分離し、光フィルタ１４２は、波長λ2の光信号を波長多重光から分離するとともに、波長λ2の光信号を波長多重光に新たに合成する。
【００２７】
この図２９に示した構成は、全体の波長数に対するアッド／ドロップする波長チャネル数の割合が小さい場合に経済的というメリットがある。しかし、アッド／ドロップの設定を変える際に光フィルタの出し入れが必要であり、一瞬、全てのスルー信号が断になってしまうという欠点がある。すなわち、本構成はダイナミックにアッド／ドロップ設定を変更するＯＡＤＭ用途には不向きである。
【００２８】
図３０に示す構成は、近年登場した新しいデバイスである、波長ブロッカ(ＷＢ:Wavelength Blocker)を用いた構成である。
ＷＢは、入力された波長多重光に対して、スルー信号となる特定の波長のチャネルのみを通過させることができるデバイスである。ＷＢの具体的なデバイスとしては、JDS Uniphase 社等により供給されているものを用いることができる（例えば、非特許文献１参照。）。
【００２９】
この従来のＯＡＤＭノードは、受信アンプ１０と送信アンプ２０との間に、分岐カプラ５１、波長ブロッカ（ＷＢ）１１０、合波カプラ５０が直列に接続されている。そして、分岐カブラ５１には、ＤＭＵＸ３０が接続され、合波カプラ５０には、ＭＵＸ４０が接続されている。分岐カプラ５１は、受信アンプ１０から出力された波長多重光を分岐してＤＭＵＸ３０に出力し、合波カプラ５０は、ＷＢ１１０からの光信号とＭＵＸ４０からの光信号を合波して送信アンプ２０に出力する。
【００３０】
ＷＢ１１０は形状を変化することのできる光フィルタで、各波長チャネルごとに通過・阻止を選択でき、かつその設定を変更してもスルー信号に影響を与えない、というフィルタである。ＷＢ１１０は、受信側分散補償器１１により累積分散値が調整された後の波長多重信号に対して、スルー信号となる波長チャネルのみを通過させる。つまり、この図３０では、ＷＢ１１０は、スルーさせない波長λ1、λ2、λ3の波長チャネルの通過を阻止するように設定されている。
【００３１】
このような構成になっていることにより、図３０に示した従来のＯＡＤＭノードでは、波長λ1、λ2、λ3の光信号は、ＤＭＵＸ３０で波長多重光より分離され受信器７０にそれぞれ出力されるが、スルー信号である波長λ4、・・・、λNの光信号は、ＷＢ１１０を通過してそのまま送信アンプ２０に出力される。
【００３２】
この図３０に示したＯＡＤＭノードの構成は、図２８に示した並列型の構成と似ているが、スルー信号の取り扱いが異なる。並列型ではドロップ信号とスルー信号の区別なく全ての信号が波長分離されたが、ＷＢ型ではスルー信号λ4、・・・、λNは波長分離されない。そのため、ＯＡＤＭノードが多段接続された際に、ＤＭＵＸ３０の光フィルタの多段通過に伴うスペクトル狭窄効果による劣化を回避することができるという特長がある。
【００３３】
図３１に示す構成は、基本的には図２８に示した構成と同じであり、さらに光２×２スイッチ１３０を追加して自動化を進めた構成である。図２８の構成では、アッド／ドロップ／スルーの設定は、ＤＭＵＸ３０、ＭＵＸ４０間の接続を手作業により切り替える光パッチコード接続に全面的に頼っている。このような方法は構成的なコストを考えると最適であるが、工数的なコストは高くなってしまう。また、波長数が多くなると設定ミスの恐れも高まる。さらに、アッドドロップする波長を任意に選択できない。そこで図３１の構成は、各波長ごとに光２×２スイッチ１３０を備えて、スルー設定か否かだけでも自動的に（遠隔操作で）設定できるようにしたものである。
【００３４】
＜受信時の最適累積分散値＞
上記で説明したようなＯＡＤＭノードでは、受信側ＤＣＭ１１、送信側ＤＣＭ２１を用いて、光ファイバ伝送路による波長分散を補償して、累積分散値を削減するようにしている。そして、一般的には、各ノードにて光ファイバ伝送路において付与された累積分散値を補償してゼロとするように設定されている。そのため、受信器において受信する際の光信号の累積分散値もゼロであるように設定されている。しかし、一方で、信号を受信する際、信号の持つ累積分散値の最適値がゼロでない場合が多いことが知られている。最適とは、符号誤り率が最小になる、という意味である。つまり、最適累積分散値とは、受信器における符号誤り率が最小になる累積分散値を意味する。完全な分散補償をして累積分散値をゼロに戻せば、送信時点と同じ波形が得られるはずであるが、分散を付与することでさらに符号誤り率が改善する現象が起きる。この現象は、主にチャープと呼ばれる強度変調に伴う位相変調があるために生じる。チャープがある場合、分散累積によって光パルスに圧縮が生じて受信感度が向上するのである。
【００３５】
最適累積分散値がゼロでない値をとる場合としては、例えば特許文献１に示されている。この特許文献１の図１０、図１１には、累積分散値が０でない場合のほうが、０の場合よりも受信感度のペナルティが小さくなるケースが存在することが示されている。特に、この特許文献１の図１１では、累積分散値がゼロを跨ぐ形で図示されており、最適累積分散値がゼロではないケースがほとんどであって、その最適累積分散値は、変調器でのチャープの付与の仕方によって変わってくることが説明されている。
【００３６】
上述したような現象を起こすチャープとは位相変調の一種であるが、位相変調には、送信器の持つ性質により送信時点から付与されるチャープの他に、光ファイバ伝送路中の非線形光学効果により付与される非線形位相変調がある。非線形光学効果とは光ファイバの屈折率がその瞬時の光パワーに依存して変化する現象で、それにより光信号は位相変調を被る。波長多重システムにおける非線形位相変調効果には、自己由来のＳＰＭ(Self Phase Modulation)と並進チャネル由来のＸＰＭ(Cross Phase Modulation)がある。これらの非線形位相変調効果は、光アンプから光ファイバ伝送路への入射時に起きるので、その累積量は、その入射時パワーや光アンプ中継段数などによって異なる。
【００３７】
このようなことは、特許文献２でも示されている。この特許文献２の図２では、optimumと示されている線が最適累積分散値を示している。この図では、最適累積分散値がゼロでない値を取る場合があり、かつ、その値が伝送距離と共に変化することが説明されており、最適累積分散値は、伝送方法にも依存して変化する場合があることが示されている。
【００３８】
図３２は、ある波長多重伝送システムの受信端で実際に得られた、受信時の累積分散値に対する符号誤り率の測定データである。この例では、約＋３００ｐｓ／ｎｍの累積分散値において、符号誤り率が最良となっているため、最適累積分散値は＋３００ｐｓ／ｎｍであると言うことができる。
【００３９】
ここで、累積分散値（の絶対値）が大きくなると当然のこととして、符号誤り率も劣化するため、最適累積分散値があまり大きな値を取ることはない。そのため、一般的には、最適累積分散値は、０ｐｓ／ｎｍを中心としたある範囲内に収まる。
【００４０】
例えば、伝送速度が１０Ｇｂｐｓで、符号形式がＮＲＺ（Non Return to Zero）符号の場合、受信時点での最適累積分散値は、一般的には下記の式を満たすような範囲に含まれる。
│最適累積分散値が含まれる分散範囲│≦１０００[ｐｓ／ｎｍ]
また、符号形式がＲＺ（Return to Zero）符号の場合には、範囲も約半分となり
│最適累積分散値が含まれる分散範囲│≦５００[ｐｓ／ｎｍ]
となる。
【００４１】
上述のように、受信時の最適な累積分散値はゼロでないケースが多い。受信時の累積分散値をゼロでない最適値に合わせることは、単純な受信端局では容易であるが、ＯＡＤＭ局では構成上、困難があった。
【００４２】
具体的に図３３を参照して、もし従来構成にて送信と受信の分散値を異ならせるとどうなるかを説明する。ここでは受信時の分散値を＋３００ｐｓ／ｎｍに調整するものとする。その調整は受信側ＤＣＭ１１を用いて行うしか方法がない。その結果、最適な累積分散値で受信することができるが、スルー信号も同じく＋３００ｐｓ／ｎｍの累積分散を持ってしまう。一方、送信器８０から出力される送信信号(アッド信号)の累積分散値は０ｐｓ／ｎｍである。これらがＭＵＸ４０にて波長多重されると、その出力波長多重光には、累積分散値が＋３００ｐｓ／ｎｍの信号と０ｐｓ／ｎｍの信号が混在してしまう。このような混在が複数段のＯＡＤＭノードで起きるともはや分散値の管理が困難となるという問題が生じる。
【００４３】
このため、従来は受信時の累積分散値をゼロ付近にせざるを得ない場合があった。そうすれば送信信号の分散値とスルー信号の分散値が一致し、送出ＷＤＭ光の分散値を一つに揃えることができるからである。しかしこの構成では、受信時の累積分散値が最適ではないので、図３２の例のように、伝送信号の持っている最良性能を引き出すことができない、分散変動に対するマージンが減少する、というジレンマがあった。
【００４４】
＜従来の分散調整方法と課題＞
この課題を単刀直入に解決するのが図３４、図３５の構成である。図３４では分波後に、図３５では多重前に、波長チャネルごとに個別の補助ＤＣＭ６０を挿入している。
【００４５】
この構成は、波長チャネルごとに分散値を調整できるため調整自由度が高いという特徴があり、そのような調整を必要とする海洋システムなどでは実用化されている。しかし一般には、波長数分の補助ＤＣＭ６０を揃えることはコストに無理があり、また細かな調整が可能という長所も、それを個々に最適化することは運用コスト的に無理があるため、普遍的なメリットには成り得ない。従って、個別の補助ＤＣＭを用いずに課題を解決する方法が必要とされている。
【００４６】
また、他の解決方法が、上述した特許文献２に開示されている。この特許文献２に開示されている技術は、いずれの波長パスグループにおいても累積分散値を許容範囲内に収めるような最適値の組合せを探索するアルゴリズムを用いるというものである。
【００４７】
この方法は、特殊なハードウエアを必要としないという長所があるが、短所としては、波長パスの数が多くなると、最適な分散補償量を見つけ出す処理が現実的に不可能になってしまうこと、また、新たに波長パスを追加すると分散補償量の変更が全体に及んでしまうので、波長パス設定の変化への対応が困難であること、が課題となっている。
【００４８】
ちなみに今日一般的に用いられているＤＣＭは補償量が固定的であるので、補償量の変更は、ＤＣＭの入替えを意味する。それは回線の一時的な断線を生じ、また入替え品の追加コストも発生する。これらのことから、波長パス設定の変化があっても分散補償量の変更がないことが望まれているのである。
【００４９】
また、上記で説明したＯＡＤＭノード以外の光通信装置であるＯＸＣノードについても、ＯＡＤＭノードと同様で、受信時の累積分散値を最適な値にしようとすると、各波長毎に補助ＤＣＭを設ける必要があるため上記で説明したのと同様な問題が発生する。
【特許文献１】特許第３３３７９８０号公報
【特許文献２】特開２００３−３１８８２５号公報
【非特許文献１】“Products / Fiberoptic Communications / Add/Drop / Tunable Add/Drop Modules / Wavelength Blocker”、[online]、JDS Uniphase社発行、[平成１６年５月２４日検索]、インターネット＜ＵＲＬ：http://www.jdsu.com/index2.cfm/NAVCID/5/CID/5/ACT/Display/ProductID/1266/G#ID/10/C#ID/229/S#ID/389/?pagename=Wavelength%20Blocker＞
【発明の開示】
【発明が解決しようとする課題】
【００５０】
上述した従来のＯＡＤＭノードやＯＸＣノード等の光通信装置では、受信時の累積分散値を最適な値にしようとすると、各波長毎に補助ＤＣＭを設ける必要がありコスト的に高くなってしまったり、新たな波長パスの追加等があった場合には分散補償量を変更する必要があるという問題点があった。
【００５１】
本発明の目的は、各波長毎に補助ＤＣＭを必要とすることなく、また、新たな波長パスが追加になっても分散補償量の変更が必要とならずに、受信時の累積分散値を最適な値に設定することにより最良の伝送性能を引き出すことが可能な光通信装置、光伝送システムおよび光伝送方法を提供することである。
【課題を解決するための手段】
【００５２】
上記目的を達成するために、本発明は、異なる波長の光信号が複数多重された波長多重信号に対して、任意の波長の光信号を、挿入、抜き出し、通過させる光通信装置であって、
前記波長多重信号の累積分散値が、抜き出した後の各波長チャネル毎の光信号を受信する受信器における最適累積分散値となるように調整する受信側分散補償器と、
前記受信側分散補償器により累積分散値が調整された後の波長多重信号を、当該伝送装置を通過するスルー波長群の波長多重信号と当該伝送装置にて抜き出すドロップ波長群の波長多重信号とに分離する分離手段と、
挿入信号が合波されたアッド波長群の波長多重信号に、前記受信側分散補償器において調整された累積分散値と同じ値の分散を付与する補助分散補償器と、
前記スルー波長群の波長多重信号に、前記補助分散補償器により累積分散値が調整された後のアッド波長群の波長多重信号を合波させて出力信号光とする合波手段とを備えている。
【００５３】
本発明は、受信側分散補償器において、波長多重信号の累積分散値が、抜き出した後の各波長チャネル毎の光信号を受信する受信器における最適累積分散値となるように調整するようにし、補助分散補償器をアッド波長群に対して設けるようにし、この補助分散補償器により、アッド波長群の波長多重信号に、受信側分散補償器において調整された累積分散値と同じ値の分散を付与するようにしたものである。したがって、ドロップ波長群の累積分散値を最適累積分散値とすることができるとともに、合波手段におけるスルー波長群の累積分散値とアッド波長群の累積分散値を同じ値にすることができる。
【００５４】
また、本発明の他の光通信装置は、異なる波長の光信号が複数多重された波長多重信号に対して、任意の波長の光信号を、挿入、抜き出し、通過させる光通信装置であって、
前記波長多重信号の累積分散値が、抜き出した後の各波長チャネル毎の光信号を受信する受信器における最適累積分散値となるように調整する受信側分散補償器と、
前記受信側分散補償器により累積分散値が調整された後の波長多重信号を、当該伝送装置を通過するスルー波長群の波長多重信号と当該伝送装置にて抜き出すドロップ波長群の波長多重信号とに分離する分離手段と、
前記スルー波長群の波長多重信号に対して、前記受信側分散補償器において調整された累積分散値をキャンセルしてゼロとするように調整する補助分散補償器と、
前記補助分散補償器により累積分散値が調整された後のスルー波長群の波長多重信号に、挿入信号が合波されたアッド波長群の波長多重信号を合波させて出力信号光とする合波手段とを備えている。
【００５５】
本発明は、受信側分散補償器において、波長多重信号の累積分散値が、抜き出した後の各波長チャネル毎の光信号を受信する受信器における最適累積分散値となるように調整するようにし、補助分散補償器をスルー波長群に対して設けるようにし、この補助分散補償器により、スルー波長群の波長多重信号に対して、受信側分散補償器において調整された累積分散値をキャンセルしてゼロとするように調整するようにしたものである。したがって、ドロップ波長群の累積分散値を最適累積分散値とすることができるとともに、スルー波長群の波長多重信号の累積分散値とアッド波長群の波長多重信号の累積分散値はともにゼロとなり、合波手段におけるスルー波長群の累積分散値とアッド波長群の累積分散値を同じ値にすることができる。
【００５６】
さらに、本発明の他の光通信装置は、異なる波長の光信号が複数多重された波長多重信号に対して、任意の波長の光信号を、挿入、抜き出し、通過させる光通信装置であって、
前記波長多重信号の累積分散値がゼロとなるように調整する受信側分散補償器と、
前記受信側分散補償器により累積分散値が調整された後の波長多重信号を、当該伝送装置を通過するスルー波長群の波長多重信号と当該伝送装置にて抜き出すドロップ波長群の波長多重信号とに分離する分離手段と、
前記ドロップ波長群の波長多重信号の累積分散値が、抜き出した後の各波長チャネル毎の光信号を受信する受信器における最適累積分散値となるように調整する補助分散補償器と、
前記スルー波長群の波長多重信号に、挿入信号が合波されたアッド波長群の波長多重信号を合波させて出力信号光とする合波手段とを備えている。
【００５７】
本発明は、受信側分散補償器において、入力信号光として入力された波長多重信号の累積分散値ゼロとなるように調整するようにし、補助分散補償器をドロップ波長群に対して設けるようにし、この補助分散補償器により、ドロップ波長群の波長多重信号に対して、抜き出した後の各波長チャネル毎の光信号を受信する受信器における最適累積分散値となるように調整するようにしたものである。したがって、ドロップ波長群の累積分散値を最適累積分散値とすることができるとともに、スルー波長群の波長多重信号の累積分散値とアッド波長群の波長多重信号の累積分散値はともにゼロとなり、合波手段におけるスルー波長群の累積分散値とアッド波長群の累積分散値を同じ値にすることができる。
【００５８】
本発明の光通信装置には、抜き出した後の各波長チャネル毎の光信号を受信する複数の受信器と、前記挿入信号を出力する複数の送信器とをさらに備えるようにしてもよい。
【００５９】
前記最適累積分散値は、受信の際の符号誤り率が最小となるような累積分散値とするようにしてもよいし、ゼロ以外の値とするようにしてもよい。
【発明の効果】
【００６０】
以上説明したように、本発明によれば、各波長毎に補助ＤＣＭを設けることなく、また、アッド／ドロップ設定を変更しても分散補償量の変更を要せずに受信時の累積分散値を最適な値に設定することができるので、ＯＡＤＭノード、ＯＸＣノードにおいて最適な累積分散値で受信できるようになり、結果として最良の伝送性能を引き出すことができるという効果を得ることができる。
【発明を実施するための最良の形態】
【００６１】
次に、本発明の実施の形態について説明する前に、本発明の原理を、図１を用いて説明する。図１において、図２８中の構成要素と同一の構成要素には同一の符号を付し、説明を省略するものとする。ここでは、光通信装置の基本的な構成であるＯＡＤＭノードを用いて説明する。
【００６２】
本発明のＯＡＤＭノードでは、入力された波長多重光を、当該ノード（伝送装置）を通過するスルー波長群、当該ノード（伝送装置）にて抜き出すドロップ波長群、挿入信号が合波されたアッド波長群の波長多重信号に分離して扱うようにし、各波長群の少なくとも１つ以上に補助ＤＣＭを備えることが特徴である。つまり、何等かの分離手段を用いて入力信号光をスルー波長群とドロップ波長群に分け、ドロップ波長群はＤＭＵＸ３０により分波して受信器７０により受信するようにし、送信器８０からのアッド信号はＭＵＸ４０により合波してアッド波長群とした後に、何等かの合波手段によりスルー波長群と再度合波して出力信号光として出力するようにしている。
【００６３】
波長群は一本の光ファイバに波長多重された状態であるので、一つのＤＣＭで複数の波長チャネルに対して一括で分散値を調整できる。この構成により、一つの補助ＤＣＭの追加で、送信と受信の分散値を異ならせることが可能となる。本発明は、これら３つの波長群のうち１つでも独立に存在していれば適用できる。
【００６４】
次に、本発明の各実施形態の具体的な構成を説明する前に、図２〜図５を参照して本発明の基本的な３つの構成を説明する。以下の説明では、受信器７０における最適累積分散値が＋３００ｐｓ／ｎｍであるものとして説明する。
【００６５】
（本発明の基本的な第１の構成）
先ず、本発明の基本的な第１の構成を図２に示す。この構成では、入力信号光に受信側ＤＣＭ１１が設けられ、アッド波長群の波長多重信号には補助ＤＣＭ６０が設けられている。
【００６６】
受信側ＤＣＭ１１は、入力信号光である波長多重信号の累積分散値が、抜き出した後の各波長チャネル毎の光信号を受信する受信器７０における最適累積分散値、つまり＋３００ｐｓ／ｎｍとなるように調整する。補助ＤＣＭ６０は、挿入信号が合波されたアッド波長群の波長多重信号に、受信側分散補償器１１において調整された累積分散値と同じ値、つまり＋３００ｐｓ／ｎｍの分散を付与する。
【００６７】
図２に示す構成では、先ず入力信号光を受信側ＤＣＭ１１において累積分散値が＋３００ｐｓ／ｎｍとなるように分散補償を行う。このことにより、ドロップ波長群、スルー波長群ともに累積分散値は＋３００ｐｓ／ｎｍとなる。ドロップ波長群はそのままＤＭＵＸ３０により分波されて受信器７０により受信されるため、最適累積分散値による受信が行われる。そして、合波器４０により生成されたアッド波長群は補助ＤＣＭにより＋３００ｐｓ／ｎｍの分散が付与されることにより、累積分散値は＋３００ｐｓ／ｎｍとなる。そして、スルー波長群とアッド波長群はともに累積分散値が＋３００ｐｓ／ｎｍとなっているため、スルー波長群とアッド波長群を合波して出力信号光を生成しても波長チャネル毎の累積分散値は全て同一となる。
【００６８】
（本発明の基本的な第２の構成）
次に、本発明の基本的な第２の構成を図３に示す。この構成では、入力信号光に受信側ＤＣＭ１１が設けられ、スルー波長群の波長多重信号には補助ＤＣＭ６１が設けられている。
【００６９】
受信側ＤＣＭ１１は、入力信号光である波長多重信号の累積分散値が、抜き出した後の各波長チャネル毎の光信号を受信する受信器７０における最適累積分散値、つまり＋３００ｐｓ／ｎｍとなるように調整する。補助ＤＣＭ６１は、スルー波長群の波長多重信号に対して、受信側ＤＣＭ１１において調整された累積分散値をキャンセルしてゼロとするような分散補償、つまり−３００ｐｓ／ｎｍの分散補償を行う。
【００７０】
図３に示す構成では、図２に示す構成と同様に、入力信号光を受信側ＤＣＭ１１において累積分散値が＋３００ｐｓ／ｎｍとなるように分散補償を行う。このことにより、ドロップ波長群、スルー波長群ともに累積分散値は＋３００ｐｓ／ｎｍとなる。ドロップ波長群はそのままＤＭＵＸ３０により分波されて受信器７０により受信されるため、最適累積分散値による受信が行われる。そして、スルー波長群は補助ＤＣＭ６１により−３００ｐｓ／ｎｍの分散が付与されることにより、累積分散値が０ｐｓ／ｎｍとなる。合波器４０により生成されたアッド波長群に対しては、特に分散補償が行われないため、０ｐｓ／ｎｍの累積分散値のままスルー波長群と合波される。スルー波長群とアッド波長群はともに累積分散値が０ｐｓ／ｎｍとなっているため、スルー波長群とアッド波長群を合波して出力信号光を生成しても波長チャネル毎の累積分散値は全て同一となる。
【００７１】
（本発明の基本的な第３の構成）
最後に、本発明の基本的な第３の構成を図４に示す。この構成では、入力信号光に受信側ＤＣＭ１１が設けられ、ドロップ波長群の波長多重信号には補助ＤＣＭ６０が設けられている。
【００７２】
受信側分散補償器１１は、入力信号光である波長多重信号の累積分散値が、ゼロとなるように調整する。補助ＤＣＭ６０は、ドロップ波長群の波長多重信号の累積分散値が、抜き出した後の各波長チャネル毎の光信号を受信する受信器７０における最適累積分散値、つまり＋３００ｐｓ／ｎｍとなるように調整する。
【００７３】
図４に示す構成では、入力信号光を受信側ＤＣＭ１１において累積分散値が０ｐｓ／ｎｍとなるように分散補償を行う。このことにより、ドロップ波長群、スルー波長群ともに累積分散値は０ｐｓ／ｎｍとなる。ドロップ波長群は、補助ＤＣＭ６０により＋３００ｐｓ／ｎｍの分散が付与されて累積分散値が＋３００ｐｓ／ｎｍとなって分波器３０に入力される。そのため、受信器７０では、最適累積分散値による受信が行われる。また、スルー波長群とアッド波長群はともに累積分散値が０ｐｓ／ｎｍであるため、そのまま合波されて出力信号光となることにより波長チャネル毎の累積分散値は全て同一となる。
【００７４】
次に、上記で説明したような構成を具体的に実施するための、本発明の実施形態について図面を参照して詳細に説明する。
【００７５】
（第１の実施形態）
まず、最初にＭＵＸを２つ備えた、本発明の第１の実施形態の光通信装置の構成について図５〜図８を参照して説明する。
【００７６】
本発明の第１の実施形態は、現在最も普及している図２８に示した従来のＯＡＤＭノードに対して、本発明を適用した構成である。従来構成に加えて新たにＭＵＸ４１を追加して２つのＭＵＸ４０、４１を備えた構成とすることによりアッド波長群の経路を作り、そこに補助ＤＣＭ６０（又は６１）を挿入していることが特徴である。これにより送受信時点での分散値を異ならせることを可能にしている。
【００７７】
従来ＭＵＸは１つであったが、これをスルー信号用とアッド信号用に分けて備えている。これにより、スルー波長群の経路とアッド波長群の経路が分離されるので、それらに対して個別の分散調整を施すことができるようになる。具体的には図５は補助ＤＣＭ６０をアッド波長群に対して作用させている構成例であり、図６は補助ＤＣＭ６１をスルー波長群に対して作用させた構成例である。
【００７８】
先ず、補助ＤＣＭ６０をアッド波長群に挿入した場合の構成である図５を参照して本実施形態のＯＡＤＭノードについて説明を行う。図５において、図２８中の構成要素と同一の構成要素には同一の符号を付し、説明を省略するものとする。
【００７９】
本実施形態のＯＡＤＭノードは、図５に示すように、受信アンプ１０と、送信アンプ２０と、分波器（ＤＭＵＸ）３０と、合波器（ＭＵＸ）４０、４１と、合波カプラ５０と、補助ＤＣＭ６０と、受信器（Ｒｘ）７０と、送信器（Ｔｘ）８０とから構成されている。また、受信アンプ１０には、受信側分散補償器(受信側ＤＣＭ）１１が設けられ、送信アンプ２０には、送信側分散補償器（送信側ＤＣＭ）２１が設けられている。
【００８０】
受信側分散補償器１１は、受信アンプ１０に入力された波長多重信号に対して、受信の際に最適な累積分散値、つまり受信の際の符号誤り率が最小となるよう累積分散値となるように分散補償を行う。ＤＭＵＸ３０は、受信側分散補償器１１により累積分散値が調整された後の波長多重信号を各波長の光信号に分波する。
【００８１】
ＭＵＸ４０は、ＤＭＵＸ３０により分波された光信号のうちスルー（通過）信号を合波する。ＭＵＸ４１は、送信器８０からの複数のアッド（挿入）信号を合波する。補助ＤＣＭ６０は、ＭＵＸ４１からの波長多重信号に、受信側ＤＣＭ１１において調整された累積分散値と同じ値の分散を付与する。
【００８２】
合波カプラ５０は、ＭＵＸ４０からの波長多重信号に、補助ＤＣＭ６０により累積分散値が調整された後の波長多重信号を合波させて送信アンプ２０に出力する。送信側ＤＣＭ２１は、合波カプラ５０により合波された波長多重光の分散値を調整する。
【００８３】
次に、図５に示した構成を用いた時に、分散値の設定がどのように実現されるのかについて次に説明する。以降の説明では、受信点での分散値を＋３００ｐｓ／ｎｍにする場合を例にして説明している。
【００８４】
まず、受信ＷＤＭ光は、まず受信アンプ１０内の受信側ＤＣＭ１１により、そこまでの累積分散を相殺して、残りの分散値が＋３００ｐｓ／ｎｍとなるように補償される。そこまでの累積分散値は、光ファイバ伝送路の単位長さあたりの分散値と光ファイバ伝送路の長さの積で求まるので、その累積分散値と残したい分散値から受信側ＤＣＭ１１の値を選定するのである。
【００８５】
＋３００ｐｓ／ｎｍの分散値を持った波長多重光はＤＭＵＸ３０で波長分離され、ドロップチャネルは受信器７０へ導かれて受信される。受信器７０において受信されるときの分散値は＋３００ｐｓ／ｎｍとなっているので、最も良い受信条件となっている。一方、＋３００ｐｓ／ｎｍの分散値を持ったスルー信号は、スルー信号用ＭＵＸ４０に導かれて再度波長多重される。
【００８６】
次にアッドチャネルは、アッド信号用ＭＵＸ４１で波長多重された後、補助ＤＣＭ６０を通過することで＋３００ｐｓ／ｎｍの分散値が付加される。この補助ＤＣＭ６０により累積分散値が調整された後の波長多重光と＋３００ｐｓ／ｎｍの分散値を持ったスルー信号が合波カプラ５０において合波され、送出ＷＤＭ光の多重が完了する。この時点での送出ＷＤＭ光の持つ分散値は＋３００ｐｓ／ｎｍに揃っている。次段の光ファイバ伝送路への送出ＷＤＭ光が持つ分散値を＋３００ｐｓ／ｎｍから異ならせたい場合には、送信側ＤＣＭ２１を適宜用いる。例えば、送信側ＤＣＭ２１にて−３００ｐｓ／ｎｍの分散を付与するようにすれば、送信アンプ２０から出力される出力信号光の累積分散値は０ｐｓ／ｎｍとなる。
【００８７】
次に、補助ＤＣＭをスルー波長群に挿入した場合の構成を図６を参照して説明する。
【００８８】
この場合の構成は、図６に示されるように、図５に示した構成に対して、アッド波長群に挿入されていた補助ＤＣＭ６０を削除し、補助ＤＣＭ６１がスルー波長群に挿入された構成となっている。
【００８９】
補助ＤＣＭ６１は、ＭＵＸ４０からの波長多重信号に、受信側ＤＣＭ１１において調整された累積分散値をキャンセルしてゼロとするような値、つまり−３００ｐｓ／ｎｍの分散を付与する。
【００９０】
受信ＷＤＭ光は、まず受信アンプ１０内の受信側ＤＣＭ１１により、分散値が＋３００ｐｓ／ｎｍとなるように補償される。その波長多重光はＤＭＵＸ３０で波長分離され、ドロップチャネルは受信器７０へ導かれて受信される。受信器７０において受信されるときの分散値は＋３００ｐｓ／ｎｍとなっているので、最も良い受信条件となっている。一方、＋３００ｐｓ／ｎｍの分散値を持ったスルー信号は、スルー信号用ＭＵＸ４０に導かれて再度波長多重される。ここまでは図５に示した構成と同じである。その後、分散を−３００ｐｓ／ｎｍ付加する補助ＤＣＭ６１を通過することにより分散値は０ｐｓ／ｎｍとなる。
【００９１】
次にアッドチャネルは、アッド信号用ＭＵＸ４１で波長多重された後、合波カプラ５０において、０ｐｓ／ｎｍの分散値を持ったスルー信号と合波される。これで送出ＷＤＭ光の多重が完了する。この時点での送出ＷＤＭ光の持つ分散値は０ｐｓ／ｎｍに揃っている。次段の光ファイバ伝送路への送出ＷＤＭ光が持つ分散値を０ｐｓ／ｎｍから異ならせたい場合には、送信側ＤＣＭ２１を適宜用いる。
【００９２】
光スイッチを備えた図３１に示した従来構成に対して、本発明を適用したのが図７、図８である。
【００９３】
光スイッチ９０は、ＤＭＵＸ３０により分波された後の各波長の光信号をスルー（通過）信号としてＭＵＸ４０に出力するかドロップ（抜き出し）信号として受信器７０に出力するかを各波長チャネル毎に切り替えるためのスイッチである。
【００９４】
光スイッチ９０を備えることの効用として、使用者から見える接続ポートの数を図３１に示した従来構成と同じにでき、接続ミスを減らせるという利点がある。図５、図６では、ＭＵＸ側の接続ポートが従来の倍あり、同じ波長チャネルであっても、スルー信号とアッド信号で接続ポートが異なるので、接続ミスを招きやすい。図７、図８のように光スイッチ９０を備えればこの煩雑さが回避でき、従来と同じ操作感で使用できる。
【００９５】
（第２の実施形態）
次に、ＤＭＵＸを２つ備えた、本発明の第２の実施形態の光通信装置の構成について図９〜図１２を参照して説明する。
【００９６】
本発明の第２の実施形態も、上記で説明した第１の実施形態と同様に、現在最も普及している図２８に示した従来のＯＡＤＭノードに対して、本発明を適用した構成である。従来構成に加えて新たにＤＭＵＸ３１を追加して２つのＤＭＵＸ３０、３１を備えた構成とすることによりドロップ波長群の経路を作り、そこに補助ＤＣＭ６０（又は６１）を挿入していることが特徴である。これにより送受信時点での分散値を異ならせることを可能にしている。
【００９７】
従来ＤＭＵＸ３０は１つであったが、本実施形態では、スルー信号用ＤＭＵＸ３０とドロップ信号用ＤＭＵＸ３１という２つを備えている。このような構成により、スルー波長群の経路とドロップ波長群の経路が分離されるので、それらに対して個別の分散調整を施すことができるようになる。具体的には図９は補助ＤＣＭ６０をドロップ波長群に対して作用させている構成例であり、図１０は補助ＤＣＭ６１をスルー波長群に対して作用させた構成例である。
【００９８】
また光スイッチを備えた図３１に示した従来構成に対して本発明を適用したのが図１１、図１２である。光スイッチ９１は、ＤＭＵＸ３０により分波された後の各波長の光信号をスルー（通過）信号としてＭＵＸ４０に出力するか、送信器８０からのアッド信号をＭＵＸ４０に出力するかを各波長チャネル毎に切り替えるためのスイッチである。光スイッチ９１を備えることの効用については、ＭＵＸを２つ備えた第１の実施形態で説明したものと同一であるので説明を省略する。
【００９９】
次に、図９〜図１２に示した構成を用いた時に、分散値の設定がどのように実現されるのかについて次に説明する。
【０１００】
まず、補助ＤＣＭ６０をドロップ波長群に挿入した構成例を図９を参照して説明する。
【０１０１】
本実施形態のＯＡＤＭノードは、図９に示すように、受信アンプ１０と、送信アンプ２０と、分波器（ＤＭＵＸ）３０、３１と、合波器（ＭＵＸ）４０と、分岐カプラ５１と、補助ＤＣＭ６０と、受信器（Ｒｘ）７０と、送信器（Ｔｘ）８０とから構成されている。図９において、図５中の構成要素と同一の構成要素には同一の符号を付し、説明を省略するものとする。
【０１０２】
分岐カプラ５１は、受信側ＤＣＭ１１によって累積分散値が補正された後の波長多重光を２つの波長多重光に分岐する。
【０１０３】
また、本実施形態では、受信アンプ１０における受信側ＤＣＭ１１は、入力された波長多重光の累積分散値を０ｐｓ／ｎｍとする分散補償を行う。
【０１０４】
次に、図９に示した構成を用いた時に、分散値の設定がどのように実現されるのかについて次に説明する。以降の説明においても、受信点での分散値を＋３００ｐｓ／ｎｍにする場合を例にして説明している。
【０１０５】
受信ＷＤＭ光は、まず受信アンプ１０内の受信側ＤＣＭ１１により、そこまでの累積分散を相殺して、残りの分散値が０ｐｓ／ｎｍとなるように補償される。
【０１０６】
０ｐｓ／ｎｍの分散値を持った波長多重光は、まず分岐カプラ５１によって２つに分岐される。その一方はスルー信号用ＤＭＵＸ３０で波長分離され、もう一方は補助ＤＣＭ６０通過により＋３００ｐｓ／ｎｍの分散値とされた後、ドロップ信号用ＤＭＵＸ３１で波長分離されて受信器７０において受信される。受信器７０において受信されるときの分散値は＋３００ｐｓ／ｎｍとなっているので、最も良い受信条件となっている。
【０１０７】
送信器８０からのアッドチャネルと、ＤＭＵＸ３０からの０ｐｓ／ｎｍの分散値を持ったスルー信号は、ＭＵＸ４０にて波長多重される。この時点での分散値は０ｐｓ／ｎｍに揃っている。次段の光ファイバ伝送路への送出ＷＤＭ光が持つ分散値を０ｐｓ／ｎｍから異ならせたい場合には、送信側ＤＣＭ２１を適宜用いる。
【０１０８】
次に、補助ＤＣＭをスルー波長群に挿入した図１０の構成例の動作を説明する。
【０１０９】
受信ＷＤＭ光は、まず受信アンプ１０内の受信側ＤＣＭ１１により、分散値が＋３００ｐｓ／ｎｍとなるように補償され、分岐カプラ５１により２つに分岐される。その一方は−３００ｐｓ／ｎｍの分散を付与する補助ＤＣＭ６１で分散値を０ｐｓ／ｎｍにされた後、スルー信号用ＤＭＵＸ３０で波長分離され、もう一方はドロップ信号用ＤＭＵＸ３１で波長分離されて受信器７０により受信される。受信器７０において受信されるときの分散値は＋３００ｐｓ／ｎｍとなっているので、最も良い受信条件となっている。
【０１１０】
ＤＭＵＸ３０からの０ｐｓ／ｎｍの分散値を持ったスルー信号と、送信器８０からのアッドチャネルは、ＭＵＸ４０で波長多重され、送出ＷＤＭ光の多重が完了する。この時点での分散値は０ｐｓ／ｎｍに揃っている。次段の光ファイバ伝送路への送出ＷＤＭ光が持つ分散値を０ｐｓ／ｎｍから異ならせたい場合には、送信側ＤＣＭ２１を適宜用いる。
【０１１１】
（第３の実施形態）
次に、本発明の第３の実施形態について説明する。本発明の第３の実施形態の光通信装置は、近年登場した新しいデバイスである、波長ブロッカ(ＷＢ:Wavelength Blocker)を用いた図３０のＯＡＤＭに対して、本発明原理を適用するための構成である。ＷＢを使った構成では、アッド波長群、ドロップ波長群、スルー波長群の経路が独立しているので、本発明を実施するのに適したベース構成をしていると言える。
【０１１２】
図１３は、補助ＤＣＭをスルー波長群の経路に挿入した構成例である。
【０１１３】
本実施形態のＯＡＤＭノードは、図１３に示すように、受信アンプ１０と、送信アンプ２０と、分波器（ＤＭＵＸ）３０と、合波器（ＭＵＸ）４０と、合波カプラ５０と、分岐カプラ５１と、補助ＤＣＭ６１と、受信器（Ｒｘ）７０と、送信器（Ｔｘ）８０と、波長ブロッカ（ＷＢ）１１０とから構成されている。図１３において、図５、図９中の構成要素と同一の構成要素には同一の符号を付し、説明を省略するものとする。
【０１１４】
ＷＢ１１０は、分岐カプラ５１により分岐された２つの波長多重光のうちの一方を入力してスルー信号となる波長チャネルの信号光のみを通過させる。
【０１１５】
この図１３に示した構成例ではＷＢ１１０の後に補助ＤＣＭ６１が挿入されているが、ＷＢ１１０の前に補助ＤＣＭ６１を挿入しても作用は同一である。
【０１１６】
この図１３に示した構成を用いた時に、分散値の設定がどのように実現されるのかについて次に説明する。
【０１１７】
受信ＷＤＭ光は、まず受信アンプ１０内の受信側ＤＣＭ１１により、そこまでの累積分散を相殺して、残りの分散値が＋３００ｐｓ／ｎｍとなるように調整された後、分岐カプラ５１により２つに分岐される。
【０１１８】
分岐カプラ５１により分岐された２つの波長多重光のうちの一方は、ドロップ信号用ＤＭＵＸ３０で波長分離されて受信器７０において受信される。受信器７０において受信されるときの分散値は＋３００ｐｓ／ｎｍとなっているので、最も良い受信条件となっている。
【０１１９】
分岐カプラ５１により分岐された２つの波長多重光のうちのもう一方は、ＷＢ１１０でスルー信号のみが通過するようにフィルタリングされた後、−３００ｐｓ／ｎｍの分散を付与する補助ＤＣＭ６１を通過することで０ｐｓ／ｎｍの分散値となる。
【０１２０】
送信器８０からのアッドチャネルは、アッド信号用ＭＵＸ４０で波長多重された後、合波カプラ５０においてスルー信号と合波され、送出ＷＤＭ光の多重が完了する。この時点での送出ＷＤＭ光の持つ分散値は０ｐｓ／ｎｍに揃っている。次段の光ファイバ伝送路への送出ＷＤＭ光が持つ分散値を０ｐｓ／ｎｍから異ならせたい場合には、送信側ＤＣＭ２１を適宜用いる。
【０１２１】
図１４は、補助ＤＣＭ６０をアッド波長群の経路に挿入した構成例である。この図１４に示した構成を用いた時に、分散値の設定がどのように実現されるのかについて次に説明する。
【０１２２】
受信ＷＤＭ光は、まず受信アンプ１０内の受信側ＤＣＭ１１により、そこまでの累積分散を相殺して、残りの分散値が＋３００ｐｓ／ｎｍとなるように調整された後、分岐カプラ５１により２つに分岐される。
【０１２３】
分岐カプラ５１により分岐された２つの波長多重光のうちの一方は、ドロップ信号用ＤＭＵＸ３０で波長分離されて受信器７０において受信される。受信器７０において受信されるときの分散値は＋３００ｐｓ／ｎｍとなっているので、最も良い受信条件となっている。ここまでの動作は図１３に示した構成例と同じである。
【０１２４】
分岐カプラ５１により分岐された２つの波長多重光のうちのもう一方は、ＷＢ１１０でスルー信号のみが通過するようにフィルタリングされる。
【０１２５】
送信器８０からのアッドチャネルはアッド信号用ＭＵＸ４０で波長多重された後、＋３００ｐｓ／ｎｍの分散を付与する補助ＤＣＭ６０を通過することで＋３００ｐｓ／ｎｍの分散値とされた後、合波カプラ５０においてスルー信号と合波され、送出ＷＤＭ光の多重が完了する。この時点での送出ＷＤＭ光の持つ分散値は＋３００ｐｓ／ｎｍに揃っている。次段の光ファイバ伝送路への送出ＷＤＭ光が持つ分散値を＋３００ｐｓ／ｎｍから異ならせたい場合には、送信側ＤＣＭ２１を適宜用いる。
【０１２６】
図１５は、補助ＤＣＭをドロップ波長群の経路に挿入した構成例である。
【０１２７】
この図１５に示した構成を用いた時に、分散値の設定がどのように実現されるのかについて次に説明する。
【０１２８】
受信ＷＤＭ光は、まず受信アンプ１０内の受信側ＤＣＭ１１により、そこまでの累積分散を相殺して、残りの分散値が０ｐｓ／ｎｍとなるように調整された後、分岐カプラ５１により２つに分岐される。
【０１２９】
分岐カプラ５１により分岐された２つの波長多重光のうちの一方は、＋３００ｐｓ／ｎｍの分散を付与する補助ＤＣＭ６０を通過することで＋３００ｐｓ／ｎｍの分散値とした後、ドロップ信号用ＤＭＵＸ３０で波長分離されて受信器７０において受信される。受信器７０において受信されるときの分散値は＋３００ｐｓ／ｎｍとなっているので、最も良い受信条件となっている。
【０１３０】
分岐カプラ５１により分岐された２つの波長多重光のうちのもう一方は、ＷＢ１１０でスルー信号のみが通過するようにフィルタリングされる。
【０１３１】
送信器８０からのアッドチャネルはアッド信号用ＭＵＸ４０で波長多重された後、合波カプラ５０においてスルー信号と合波され、送出ＷＤＭ光の多重が完了する。この時点での送出ＷＤＭ光の持つ分散値は０ｐｓ／ｎｍに揃っている。次段の光ファイバ伝送路への送出ＷＤＭ光が持つ分散値を０ｐｓ／ｎｍから異ならせたい場合には、送信側ＤＣＭ２１を適宜用いる。
【０１３２】
このように、ＷＢ１１０を使ったＯＡＤＭノードの構成は、本実施形態のように補助ＤＣＭ６０または補助ＤＣＭ６１を入れる追加コストが僅かで済むので、本発明の導入が最も容易な構成であると言える。
【０１３３】
（第４の実施形態）
次に、本発明の第４の実施形態の光通信装置について説明する。
【０１３４】
本発明の第４の実施形態は、現在研究開発中のデバイスである波長選択スイッチ(ＷＳＳ：Wavelength Selective Switch)を用いたＯＡＤＭノードに対して、本発明を適用した構成である。ＷＳＳは、ＷＢがさらに進化したデバイスであり、入力されたＷＤＭ波長群の中の一つ一つの波長チャネルの方路を切り替える機能を持つデバイスである。個々の波長チャネルから見ると光２×２スイッチとして見える。ＷＳＳとは、入力された波長多重信号の各波長の経路を、各波長チャネル毎にそれぞれ独立に切り替えことが可能なデバイスである。
【０１３５】
このＷＳＳを使ったＯＡＤＭ構成では、アッド波長群、ドロップ波長群の経路が独立しているので、本発明の適用が可能である。
【０１３６】
図１６は、補助ＤＣＭをアッド波長群の経路に挿入した構成例である。
【０１３７】
本実施形態のＯＡＤＭノードは、図１６に示されるように、受信アンプ１０と、送信アンプ２０と、ＤＭＵＸ３０と、ＭＵＸ４０と、補助ＤＣＭ６０と、受信器７０と、送信器８０と、波長選択スイッチ（ＷＳＳ）１２０とから構成されている。
【０１３８】
ＷＳＳ１２０は、受信側ＤＣＭ１１により累積分散値が調整された後の波長多重信号に対して、ドロップ信号となる波長チャネルについてはドロップ波長群の波長多重信号として補助ＤＣＭ６０に出力し、スルー信号となる波長チャネルについては、補助ＤＣＭ６０により累積分散値が調整された後の波長多重信号と合波した後に出力信号光として送信アンプ２０に出力する。
【０１３９】
上述したように、ＷＳＳ１２０は、入力された波長多重信号の各波長の経路を、各波長チャネル毎にそれぞれ独立に切り替えことが可能なデバイスであるため、例えば、ＷＳＳ１２０において、波長λ1の経路を切り替えた場合、受信アンプ１０から出力された波長多重光のうちの波長λ1の光信号は、ＤＭＵＸ３０に出力され、他の波長の光信号は、送信アンプ２０に出力される。そして、補助ＤＣＭ６０からの波長多重信号のうちの波長λ1の光信号は、送信側ＤＣＭ２０へと出力される。
【０１４０】
この構成を用いた時に、分散値の設定がどのように実現されるのかについて次に説明する。
【０１４１】
受信ＷＤＭ光は、まず受信アンプ１０内の受信側ＤＣＭ１１により、そこまでの累積分散を相殺して、残りの分散値が＋３００ｐｓ／ｎｍとなるように調整された後、ＷＳＳ１２０に入力される。一方、送信器８０からのアッドチャネルはアッド信号用ＭＵＸ４０で波長多重された後、＋３００ｐｓ／ｎｍの分散を付与する補助ＤＣＭ６０を通過することで＋３００ｐｓ／ｎｍの分散値を持った後、ＷＳＳ１２０に入力される。このようにＷＳＳ１２０に入力される２つの波長群の分散値は揃っている。
【０１４２】
ＷＳＳ１２０内では、これら２つの波長多重群の中で個々のチャネル単位で交換が行われ、波長多重光の形で出力される。その一方が送信ＷＤＭ光であり、もう一方がドロップ波長群である。どちらも＋３００ｐｓ／ｎｍの分散を持ったまま出力される。
【０１４３】
ドロップ波長群はＤＭＵＸ３０で波長分離され、受信器７０において受信される。受信器７０において受信されるときの分散値は＋３００ｐｓ／ｎｍとなっているので、最も良い受信条件となっている。
【０１４４】
次段の光ファイバ伝送路への送出ＷＤＭ光が持つ分散値を＋３００ｐｓ／ｎｍから異ならせたい場合には、送信側ＤＣＭ２１を適宜用いる。
【０１４５】
図１７は、補助ＤＣＭをドロップ波長群の経路に挿入した構成例である。この構成を用いた時に、分散値の設定がどのように実現されるのかについて次に説明する。
【０１４６】
受信ＷＤＭ光は、まず受信アンプ１０内の受信側ＤＣＭ１１により、そこまでの累積分散を相殺して、残りの分散値が０ｐｓ／ｎｍとなるように調整された後、ＷＳＳ１２０に入力される。一方、送信器８０からのアッドチャネルはアッド信号用ＭＵＸ４０で波長多重された後、ＷＳＳ１２０に入力される。このようにＷＳＳ１２０に入力する２つの波長群の分散値は揃っている。
【０１４７】
ＷＳＳ１２０内では、これら２つの波長多重群の中で個々のチャネル単位で交換が行われ、波長多重光の形で出力される。その一方が送信ＷＤＭ光であり、もう一方がドロップ波長群である。どちらも０ｐｓ／ｎｍの分散を持ったまま出力される。
【０１４８】
ドロップ波長群は＋３００ｐｓ／ｎｍの分散を付与する補助ＤＣＭ６０を通過することで＋３００ｐｓ／ｎｍの分散値を持った後、ＤＭＵＸで波長分離され、受信される。受信するときの分散値は＋３００ｐｓ／ｎｍとなっているので、最も良い受信条件となっている。
【０１４９】
次段の光ファイバ伝送路への送出ＷＤＭ光が持つ分散値を０ｐｓ／ｎｍから異ならせたい場合には、送信側ＤＣＭ２１を適宜用いる。
【０１５０】
（第５の実施形態）
次に、本発明の第５の実施形態の光通信装置について説明する。
【０１５１】
本発明の第５の実施形態は、上記の第４の実施形態において説明したものと類似のＷＳＳを２つ備え、スルー波長群に補助ＤＣＭを設けたＯＡＤＭノードの構成例である。
【０１５２】
本実施形態のＯＡＤＭノードは、図１８に示すように、受信アンプ１０と、送信アンプ２０と、分波器（ＤＭＵＸ）３０と、合波器（ＭＵＸ）４０と、補助ＤＣＭ６１と、受信器（Ｒｘ）７０と、送信器（Ｔｘ）８０と、波長選択スイッチ（ＷＳＳ）１２１、１２２とから構成されている。本実施形態では、ＷＳＳは図１６，１７と同様な２入力２出力のものを用いても良いが、ＷＳＳ１２１は１入力２出力、ＷＳＳ１２２は２入力１出力あれば十分である。
【０１５３】
ＷＳＳ１２１は、受信アンプ１０の受信側ＤＣＭ１１により累積分散値が調整された後の波長多重信号に対して、ドロップ（分岐）信号となる波長チャネルについてはドロップ波長群の波長多重信号としてＤＭＵＸ３０に出力し、スルー（通過）信号となる波長チャネルについてはスルー波長群の波長多重光として補助ＤＣＭ６１に出力する。
【０１５４】
ＷＳＳ１２２は、補助ＤＣＭ６１により累積分散値が調整された後の波長多重信号を、ＭＵＸ４０からの波長多重信号と合波した後に送信アンプ２０に出力する。
【０１５５】
このように２つのＷＳＳ１２１、１２２を用いることによりスルー波長群に補助ＤＣＭを設けた構成を実現することが可能となる。
この図１８に示した構成を用いた時に、分散値の設定がどのように実現されるのかについて次に説明する。
【０１５６】
受信ＷＤＭ光は、まず受信アンプ１０内の受信側ＤＣＭ１１により、そこまでの累積分散を相殺して、残りの分散値が＋３００ｐｓ／ｎｍとなるように調整された後、ＷＳＳ１２１によりドロップ波長群とスルー波長群に分岐される。
【０１５７】
ＷＳＳ１２１により分岐されたドロップ波長群は、ドロップ信号用ＤＭＵＸ３０で波長分離されて受信器７０において受信される。受信器７０において受信されるときの分散値は＋３００ｐｓ／ｎｍとなっているので、最も良い受信条件となっている。
【０１５８】
ＷＳＳ１２１により分岐されたもう一方のスルー波長群は、−３００ｐｓ／ｎｍの分散を付与する補助ＤＣＭ６１を通過することで０ｐｓ／ｎｍの分散値となる。
【０１５９】
送信器８０からのアッドチャネルは、アッド信号用ＭＵＸ４０で波長多重された後、ＷＳＳ１２２においてスルー波長群と合波され、送出ＷＤＭ光の多重が完了する。この時点での送出ＷＤＭ光の持つ分散値は０ｐｓ／ｎｍに揃っている。次段の光ファイバ伝送路への送出ＷＤＭ光が持つ分散値を０ｐｓ／ｎｍから異ならせたい場合には、送信側ＤＣＭ２１を適宜用いる。
【０１６０】
次に、ＷＳＳの替わりにＭＰ（マルチポート）−ＷＳＳを用いた本実施形態の構成例を図１９に示す。
【０１６１】
ＭＰ−ＷＳＳとは、入力された波長多重信号の各波長の経路を、各波長チャネル毎にそれぞれ独立に切り替えて各波長チャネル毎の出力信号または波長多重信号として出力したり、入力された波長多重信号に対して、入力された各波長チャネル毎の信号を合波して１つの波長多重信号として出力することが可能なデバイスである。
【０１６２】
このようなＭＰ−ＷＳＳを用いた本実施形態のＯＡＤＭノードは、図１９に示されるように、受信アンプ１０と、２つのＭＰ−ＷＳＳ１５１、１５２と、補助ＤＣＭ６１と、送信アンプ２０と、受信器７０と、送信器８０とから構成されている。
【０１６３】
ＭＰ−ＷＳＳ１５１は、入力された波長多重信号の各波長の経路を、各波長チャネル毎にそれぞれ独立に切り替えて各波長チャネル毎の出力信号または波長多重信号として出力することが可能なデバイスであり、受信側ＤＣＭ１１により累積分散値が調整された後の波長多重信号を入力して、ドロップ信号となる波長チャネルについては各波長チャネル毎に光信号として受信器７０にそれぞれ出力し、スルー信号となる波長チャネルについてはスルー波長群の波長多重光として補助ＤＣＭ６１に出力する。
【０１６４】
ＭＰ−ＷＳＳ１５２は、入力された波長多重信号に対して、入力された各波長チャネル毎の信号を合波して１つの波長多重信号として出力することが可能なデバイスであり、補助ＤＣＭ６１により累積分散値が調整された後の波長多重信号に、送信器８０から入力されたアッド信号を合波した後に出力信号光として送信アンプ２０に出力する。
【０１６５】
この図１９に示した構成は、図１８に示した構成に対して、ＷＳＳ１２１とＤＭＵＸ３０をＭＰ−ＷＳＳ１５１に置き換え、
ＷＳＳ１２２とＭＵＸ４０をＭＰ−ＷＳＳ１５２に置き換えた構成となっているため、その動作の説明については省略する。
【０１６６】
（第６の実施形態）
次に、本発明の第６の実施形態の光通信装置について説明する。本実施形態は、異なる波長の光信号が複数多重された波長多重信号に対して、任意の波長の光信号を挿入し（add）、抜き出す（drop）とともに、各波長単位で出力する方路を切り替えるための光通信装置であるＯＸＣ（Optical cross Connect：光クロスコネクト）ノードに対して本発明を適用したものである。
【０１６７】
ＯＸＣノードとは、多重された複数の波長の光信号を、各波長単位で経路を切り替えるための装置である。このようなＯＸＣノードに対して本発明を適用した場合でも、分散調整の概念は上記で説明したＯＡＤＭノードの場合と全く同様である。ＯＡＤＭノードの場合には、入力される１つの波長多重信号と出力する１つの波長多重信号という２経路のみが存在していたが、ＯＸＣノードは対向する他のノードとの間で波長多重信号を送受信する１対の経路（以降方路と呼ぶ。）が複数存在する。
【０１６８】
このようなＯＸＣノードのうち、この方路が３つある３方路ＯＸＣノードの概略構成を図２０に示す。この３方路ＯＸＣノードでは、各方路毎に分岐カプラと合波カプラとが設けられていて、各方路からの波長多重信号の分岐および各方路への波長多重信号の合波を行っている。なお、ＯＸＣノードでは自ノードにおいてもアッド／ドロップが行われているが、この図２０では、自ノードにおけるアッド／ドロップのための矢印は省略している。
【０１６９】
次に、このようなＯＸＣノードの具体的な構成について説明するが、ＯＸＣノードの構成は上述したＯＡＤＭノードの構成と比較して回路構成が複雑になるため、説明を簡単にするため以下ではその一部の構成のみを説明する。従って、以下では、図２０に示した３方路ＯＸＣノードのうちの太い実線で示された経路、つまり１つの方路から入力された波長多重信号が他の２つの方路へ出力される経路のみを用いて説明を行う。
【０１７０】
先ず、補助ＤＣＭをスルー側に備えた場合のＯＸＣノードの一部の構成を図２１を参照して説明する。図２１において、図１３中の構成要素と同一の構成要素には同一の符号を付し、その説明を省略するものとする。
【０１７１】
本実施形態のＯＸＣノードは、図２１に示すように、受信アンプ１０と、送信アンプ２０、２２と、分波器（ＤＭＵＸ）３０と、合波器（ＭＵＸ）４０、４１と、合波カプラ５０、５２と、分岐カプラ５１と、補助ＤＣＭ６１、６３と、受信器（Ｒｘ）７０と、送信器（Ｔｘ）８０、８１と、波長ブロッカ（ＷＢ）１１１、１１２とを備えている。また、送信アンプ２２には、送信側分散補償器（送信側ＤＣＭ）２３が設けられている。この送信側ＤＣＭ２３は、送信アンプ２２から出力される波長多重信号の分散補償を行う。
【０１７２】
このＯＸＣノードでは、受信アンプ１０は、ある方路からの波長多重信号を入力していて、送信アンプ２０、２２は、それぞれ異なる方路に波長多重信号を出力する。
【０１７３】
補助ＤＣＭ６１は、分岐カプラ５１により分岐された３つの波長多重信号のうちの１つを入力して、受信側ＤＣＭ１１において調整された累積分散値をキャンセルしてゼロとするような分散補償、つまり−３００ｐｓ／ｎｍの分散補償を行う。ＷＢ１１１は、補助ＤＣＭ６１により累積分散値が調整された後の波長多重多重信号を入力して、送信器２０が接続された方路に対して出力するように設定されている波長チャネルの信号光のみを通過させる。
【０１７４】
補助ＤＣＭ６３は、分岐カプラ５１により分岐された３つの波長多重信号のうちの１つを入力して、受信側ＤＣＭ１１において調整された累積分散値をキャンセルしてゼロとするような分散補償、つまり−３００ｐｓ／ｎｍの分散補償を行う。ＷＢ１１２は、補助ＤＣＭ６３により累積分散値が調整された後の波長多重多重信号を入力して、送信器２２が接続された方路に対して出力するように設定されている波長チャネルの信号光のみを通過させる。
【０１７５】
合波カプラ５０は、ＭＵＸ４０からの波長多重信号、ＷＢ１１１からの波長多重信号、および図示されない方路からの波長多重信号を合波して送信アンプ２０に出力する。同様に、合波カプラ５２は、ＭＵＸ４１からの波長多重信号、ＷＢ１１２からの波長多重信号、および図示されない方路からの波長多重信号を合波して送信アンプ２２に出力する。
【０１７６】
この図２１に示した構成例ではＷＢ１１１、１１２の前に補助ＤＣＭ６１、６３がそれぞれ挿入されているが、ＷＢ１１１、１１２の後に補助ＤＣＭ６１、６３をそれぞれ挿入しても作用は同一である。
【０１７７】
次に、この図２１に示した構成を用いた時に、分散値の設定がどのように実現されるのかについて次に説明する。
【０１７８】
ある方路から入力された受信ＷＤＭ光は、まず受信アンプ１０内の受信側ＤＣＭ１１により、そこまでの累積分散を相殺して、残りの分散値が＋３００ｐｓ／ｎｍとなるように調整された後、分岐カプラ５１により３つに分岐される。
【０１７９】
分岐カプラ５１により分岐された３つの波長多重光のうちの１つは、ドロップ信号用ＤＭＵＸ３０で波長分離されて受信器７０において受信される。受信器７０において受信されるときの分散値は＋３００ｐｓ／ｎｍとなっているので、最も良い受信条件となっている。
【０１８０】
分岐カプラ５１により分岐された３つの波長多重光のうちの別の１つは、−３００ｐｓ／ｎｍの分散を付与する補助ＤＣＭ６１を通過することで０ｐｓ／ｎｍの分散値となった後、ＷＢ１１１により送信アンプ２０が接続された方路に対して出力するように設定されている波長チャネルの信号のみが通過するようにフィルタリングされる。さらに、分岐カプラ５１により分岐された３つの波長多重光のうちのさらに別の１つは、−３００ｐｓ／ｎｍの分散を付与する補助ＤＣＭ６３を通過することで０ｐｓ／ｎｍの分散値となった後、ＷＢ１１２により送信アンプ２２が接続された方路に対して出力するように設定されている波長チャネルの信号のみが通過するようにフィルタリングされる。
【０１８１】
送信器８０からのアッドチャネルは、アッド信号用ＭＵＸ４０で波長多重された後、合波カプラ５０においてＷＢ１１１からのスルー信号および他の方路からの波長多重信号と合波され、送出ＷＤＭ光の多重が完了する。この時点での送出ＷＤＭ光の持つ分散値は０ｐｓ／ｎｍに揃っている。次段の光ファイバ伝送路への送出ＷＤＭ光が持つ分散値を０ｐｓ／ｎｍから異ならせたい場合には、送信側ＤＣＭ２１を適宜用いる。
【０１８２】
さらに、送信器８１からのアッドチャネルは、アッド信号用ＭＵＸ４１で波長多重された後、合波カプラ５２においてＷＢ１１２からの波長多重信号および他の方路からの波長多重信号と合波され、送出ＷＤＭ光の多重が完了する。この時点での送出ＷＤＭ光の持つ分散値は０ｐｓ／ｎｍに揃っている。次段の光ファイバ伝送路への送出ＷＤＭ光が持つ分散値を０ｐｓ／ｎｍから異ならせたい場合には、送信側ＤＣＭ２３を適宜用いる。
【０１８３】
次に、補助ＤＣＭをアッド側に備えた場合のＯＸＣノードの構成を図２２を参照して説明する。図２２において、図２１中の構成要素と同一の構成要素には同一の符号を付し、その説明を省略するものとする。この図２２に示した構成を用いた時に、分散値の設定がどのように実現されるのかについて次に説明する。
【０１８４】
ある方路から入力された受信ＷＤＭ光は、まず受信アンプ１０内の受信側ＤＣＭ１１により、そこまでの累積分散を相殺して、残りの分散値が＋３００ｐｓ／ｎｍとなるように調整された後、分岐カプラ５１により３つに分岐される。
【０１８５】
分岐カプラ５１により分岐された３つの波長多重光のうちの１つは、ドロップ信号用ＤＭＵＸ３０で波長分離されて受信器７０において受信される。受信器７０において受信されるときの分散値は＋３００ｐｓ／ｎｍとなっているので、最も良い受信条件となっている。ここまでの動作は図２１に示した構成例と同じである。
【０１８６】
分岐カプラ５１により分岐された３つの波長多重光のうちのもう１つは、ＷＢ１１１により送信アンプ２０が接続された方路に対して出力するように設定されている波長チャネルの信号のみが通過するようにフィルタリングされる。また、分岐カプラ５１により分岐された３つの波長多重光のうちのさらにもう１つは、ＷＢ１１２により送信アンプ２２が接続された方路に対して出力するように設定されている波長チャネルの信号のみが通過するようにフィルタリングされる。
【０１８７】
送信器８０からのアッドチャネルはアッド信号用ＭＵＸ４０で波長多重された後、＋３００ｐｓ／ｎｍの分散を付与する補助ＤＣＭ６０を通過することで＋３００ｐｓ／ｎｍの分散値とされた後、合波カプラ５０において、ＷＢ１１１からの波長多重信号、他の方路からの波長多重信号と合波され、送出ＷＤＭ光の多重が完了する。この時点での送出ＷＤＭ光の持つ分散値は＋３００ｐｓ／ｎｍに揃っている。次段の光ファイバ伝送路への送出ＷＤＭ光が持つ分散値を＋３００ｐｓ／ｎｍから異ならせたい場合には、送信側ＤＣＭ２１を適宜用いる。
【０１８８】
また、送信器８１からのアッドチャネルはアッド信号用ＭＵＸ４１で波長多重された後、＋３００ｐｓ／ｎｍの分散を付与する補助ＤＣＭ６２を通過することで＋３００ｐｓ／ｎｍの分散値とされた後、合波カプラ５２において、ＷＢ１１２からの波長多重信号、他の方路からの波長多重信号と合波され、送出ＷＤＭ光の多重が完了する。この時点での送出ＷＤＭ光の持つ分散値は＋３００ｐｓ／ｎｍに揃っている。次段の光ファイバ伝送路への送出ＷＤＭ光が持つ分散値を＋３００ｐｓ／ｎｍから異ならせたい場合には、送信側ＤＣＭ２３を適宜用いる。
【０１８９】
次に、補助ＤＣＭをドロップ側に備えた場合のＯＸＣノードの構成を図２３を参照して説明する。図２３において、図２１中の構成要素と同一の構成要素には同一の符号を付し、その説明を省略するものとする。この図２３に示した構成を用いた時に、分散値の設定がどのように実現されるのかについて次に説明する。
【０１９０】
ある方路から入力された受信ＷＤＭ光は、まず受信アンプ１０内の受信側ＤＣＭ１１により、そこまでの累積分散を相殺して、残りの分散値が０ｐｓ／ｎｍとなるように調整された後、分岐カプラ５１により３つに分岐される。
【０１９１】
分岐カプラ５１により分岐された３つの波長多重光のうちの１つは、＋３００ｐｓ／ｎｍの分散を付与する補助ＤＣＭ６０を通過することで＋３００ｐｓ／ｎｍの分散値とした後、ドロップ信号用ＤＭＵＸ３０で波長分離されて受信器７０において受信される。受信器７０において受信されるときの分散値は＋３００ｐｓ／ｎｍとなっているので、最も良い受信条件となっている。
【０１９２】
分岐カプラ５１により分岐された３つの波長多重光のうちのもう１つは、ＷＢ１１１により送信アンプ２０が接続された方路に対して出力するように設定されている波長チャネルの信号のみが通過するようにフィルタリングされる。さらに、分岐カプラ５１により分岐された３つの波長多重光のうちのさらにもう１つは、ＷＢ１１２により送信アンプ２２が接続された方路に対して出力するように設定されている波長チャネルの信号のみが通過するようにフィルタリングされる。
【０１９３】
送信器８０からのアッドチャネルはアッド信号用ＭＵＸ４０で波長多重された後、合波カプラ５０においてＷＢ１１１からの波長多重信号、他の方路からの波長多重信号と合波され、送出ＷＤＭ光の多重が完了する。この時点での送出ＷＤＭ光の持つ分散値は０ｐｓ／ｎｍに揃っている。次段の光ファイバ伝送路への送出ＷＤＭ光が持つ分散値を０ｐｓ／ｎｍから異ならせたい場合には、送信側ＤＣＭ２１を適宜用いる。
【０１９４】
また、送信器８１からのアッドチャネルはアッド信号用ＭＵＸ４１で波長多重された後、合波カプラ５２においてＷＢ１１２からの波長多重信号、他の方路からの波長多重信号と合波され、送出ＷＤＭ光の多重が完了する。この時点での送出ＷＤＭ光の持つ分散値は０ｐｓ／ｎｍに揃っている。次段の光ファイバ伝送路への送出ＷＤＭ光が持つ分散値を０ｐｓ／ｎｍから異ならせたい場合には、送信側ＤＣＭ２３を適宜用いる。
【０１９５】
上記において図２１〜図２３に示したいずれの構成においても、受信器７０において受信される際の累積分散値を＋３００ｐｓ／ｎｍにすることと、アッド信号とスルー信号における各波長チャネルの分散値を揃えることを両立することが実現されている。
【０１９６】
本実施形態では、３方路ＯＸＣノードに対して本発明を適用した場合について説明を行ったが、同様な構成を用いることにより、図２４に示すような４方路ＯＸＣノードや、図２５に示すような、５方路ＯＸＣノードに対しても本発明を同様に適用することが可能である。
【０１９７】
上記第１から第６の実施形態では、累積分散値が＋３００ｐｓ／ｎｍの場合に、受信器７０における符号誤り率が最小となるものとして説明したが、本発明はこれに限定されるものではなく、他のゼロ以外の累積分散値の場合に符号誤り率が最小となる場合でも同様に本発明を適用することができるものである。
【０１９８】
また、上記第１から第６の実施形態では、光通信装置がＯＡＤＭノードまたはＯＸＣノードの場合を用いて説明したが、波長多重光に対して任意の波長の光信号を、分岐、挿入、通過させる光通信装置であればどのような構成のものでも同様に、本発明を適用することができるものである。
【０１９９】
さらに、上記第１から第６の実施形態では、ある周波数チャネルを抜き出す（ドロップする）場合には、当該周波数チャネルはそのノードにおいて分岐されてしまい次のノードには転送されないものとして説明していたが、ある周波数チャネルを抜き出す（ドロップする）とともにその周波数チャネルをそのまま次のノードに転送するドロップ・アンド・コンティニュー（Drop and continue）を行うような光通信装置に対しても同様に本発明を適用することが可能である。
【０２００】
さらに、本発明は最適累積分散値がゼロ以外の値であることを前提としており、最適累積分散値がゼロの場合には従来の構成のままで最適な受信をすることが可能である。よって、本発明では、最適累積分散値は、ゼロ以外の値である場合に限定されるものである。
【図面の簡単な説明】
【０２０１】
【図１】発明の原理を説明するための図である。
【図２】本発明の基本的な第１の構成を示す図である。
【図３】本発明の基本的な第２の構成を示す図である。
【図４】本発明の基本的な第３の構成を示す図である。
【図５】ＭＵＸを２つ備え、補助ＤＣＭをアッド波長群に対して作用させた場合の、本発明の第１の実施形態のＯＡＤＭノードの構成を示すブロック図である。
【図６】ＭＵＸを２つ備え、補助ＤＣＭをスルー波長群に対して作用させた場合の、本発明の第１の実施形態のＯＡＤＭノードの構成を示すブロック図である。
【図７】図５に示したＯＡＤＭノードに光スイッチを加えた構成を示すブロック図である。
【図８】図６に示したＯＡＤＭノードに光スイッチを加えた構成を示すブロック図である。
【図９】ＤＭＵＸを２つ備え、補助ＤＣＭをドロップ波長群に対して作用させた場合の、本発明の第２の実施形態のＯＡＤＭノードの構成を示すブロック図である。
【図１０】ＤＭＵＸを２つ備え、補助ＤＣＭをスルー波長群に対して作用させた場合の、本発明の第２の実施形態のＯＡＤＭノードの構成を示すブロック図である。
【図１１】図９に示したＯＡＤＭノードに光スイッチを加えた構成を示すブロック図である。
【図１２】図１０に示したＯＡＤＭノードに光スイッチを加えた構成を示すブロック図である。
【図１３】ＷＢを用いたＯＡＤＭノードにおいて、補助ＤＣＭをスルー波長群に対して作用させた場合の、本発明の第３の実施形態のＯＡＤＭノードの構成を示すブロック図である。
【図１４】ＷＢを用いたＯＡＤＭノードにおいて、補助ＤＣＭをアッド波長群に対して作用させた場合の、本発明の第３の実施形態のＯＡＤＭノードの構成を示すブロック図である。
【図１５】ＷＢを用いたＯＡＤＭノードにおいて、補助ＤＣＭをドロップ波長群に対して作用させた場合の、本発明の第３の実施形態のＯＡＤＭノードの構成を示すブロック図である。
【図１６】ＷＳＳを用いたＯＡＤＭノードにおいて、補助ＤＣＭをアッド波長群に対して作用させた場合の、本発明の第４の実施形態のＯＡＤＭノードの構成を示すブロック図である。
【図１７】ＷＳＳを用いたＯＡＤＭノードにおいて、補助ＤＣＭをドロップ波長群に対して作用させた場合の、本発明の第４の実施形態のＯＡＤＭノードの構成を示すブロック図である。
【図１８】２つのＷＳＳを用いた、本発明の第５の実施形態のＯＡＤＭノードの構成を示すブロック図である。
【図１９】２つのＭＰ−ＷＳＳを用いた、本発明の第５の実施形態のＯＡＤＭノードの構成を示すブロック図である。
【図２０】３方路ＯＸＣノードの概略構成を説明するための図である。
【図２１】補助ＤＣＭをスルー波長群に対して作用させた場合の、本発明の第６の実施形態のＯＸＣノードの一部の構成を示すブロック図である。
【図２２】補助ＤＣＭをアッド波長群に対して作用させた場合の、本発明の第６の実施形態のＯＸＣノードの一部の構成を示すブロック図である。
【図２３】補助ＤＣＭをドロップ波長群に対して作用させた場合の、本発明の第６の実施形態のＯＸＣノードの一部の構成を示すブロック図である。
【図２４】４方路ＯＸＣノードの概略構成を説明するための図である。
【図２５】５方路ＯＸＣノードの概略構成を説明するための図である。
【図２６】一般的な従来の光伝送システムの構成を示すシステム図である。
【図２７】ＯＡＤＭノードを有する従来の光伝送システムの構成を示すシステム図である。
【図２８】並列型の従来のＯＡＤＭノードの構成を示すブロック図である。
【図２９】直列型の従来のＯＡＤＭノードの構成を示すブロック図である。
【図３０】ＷＢ型の従来のＯＡＤＭノードの構成を示すブロック図である。
【図３１】並列型（スイッチ付き）の従来のＯＡＤＭノードの構成を示すブロック図である。
【図３２】ある波長多重伝送システムの受信端で実際に得られた、受信時の累積分散値に対する符号誤り率の測定データを示す図である。
【図３３】従来構成にて送信と受信の分散値を異ならせるとどうなるかを説明するための図である。
【図３４】波長チャネルごとに個別の補助ＤＣＭを挿入して、受信時の累積分散値を最適に設定した従来のＯＡＤＭノードの構成を示す図である。
【図３５】波長チャネルごとに個別の補助ＤＣＭを挿入して、受信時の累積分散値を最適に設定した従来のＯＡＤＭノードの構成の他の例を示す図である。
【符号の説明】
【０２０２】
１０    受信アンプ
１１    受信側分散補償器(受信側ＤＣＭ）
２０    送信アンプ
２１    送信側分散補償器(送信側ＤＣＭ）
２２    送信アンプ
２３    送信側分散補償器(送信側ＤＣＭ）
３０、３１    分波器（ＤＭＵＸ）
４０、４１    合波器（ＭＵＸ）
５０    合波カプラ
５１    分波カプラ
５２    合波カプラ
６０    補助分散補償器（補助ＤＣＭ）（＋３００ｐｓ／ｎｍ）
６１    補助分散補償器（補助ＤＣＭ）（−３００ｐｓ／ｎｍ）
６２    補助分散補償器（補助ＤＣＭ）（＋３００ｐｓ／ｎｍ）
６３    補助分散補償器（補助ＤＣＭ）（−３００ｐｓ／ｎｍ）
７０    受信器（Ｒｘ）
８０、８１    送信器（Ｔｘ）
９０、９１    光スイッチ
１１０〜１１２    波長ブロッカ（ＷＢ）
１２０、１２１、１２２    波長選択スイッチ（ＷＳＳ）
１３０    光２×２スイッチ
１４１、１４２    光フィルタ
１５１、１５２    マルチポート波長選択スイッチ（ＭＰ−ＷＳＳ）
２１０、２２０、２３０    光アンプ
２１１、２２１、２３１    分散補償器（ＤＣＭ）
２４０    合波器（ＭＵＸ）
２５０    分波器（ＤＭＵＸ）
２６０1〜２６０N    送信器（Ｔｘ）
２７０1〜２７０N    受信器（Ｒｘ）
３００    ＯＡＤＭノード
【図１】
2006042012.tif 000003
【図２】
2006042012.tif 000004
【図３】
2006042012.tif 000005
【図４】
2006042012.tif 000006
【図５】
2006042012.tif 000007
【図６】
2006042012.tif 000008
【図７】
2006042012.tif 000009
【図８】
2006042012.tif 000010
【図９】
2006042012.tif 000011
【図１０】
2006042012.tif 000012
【図１１】
2006042012.tif 000013
【図１２】
2006042012.tif 000014
【図１３】
2006042012.tif 000015
【図１４】
2006042012.tif 000016
【図１５】
2006042012.tif 000017
【図１６】
2006042012.tif 000018
【図１７】
2006042012.tif 000019
【図１８】
2006042012.tif 000020
【図１９】
2006042012.tif 000021
【図２０】
2006042012.tif 000022
【図２１】
2006042012.tif 000023
【図２２】
2006042012.tif 000024
【図２３】
2006042012.tif 000025
【図２４】
2006042012.tif 000026
【図２５】
2006042012.tif 000027
【図２６】
2006042012.tif 000028
【図２７】
2006042012.tif 000029
【図２８】
2006042012.tif 000030
【図２９】
2006042012.tif 000031
【図３０】
2006042012.tif 000032
【図３１】
2006042012.tif 000033
【図３２】
2006042012.tif 000034
【図３３】
2006042012.tif 000035
【図３４】
2006042012.tif 000036
【図３５】
2006042012.tif 000037